(57)【要約】  本発明は、上りリンク送信方法を開示し、第１のデバイスのMACレイヤにより、MAC情報を生成し、次に、MAC情報を搬送する第１のプリミティブを生成し、第１のプリミティブを第１のデバイスのMACレイヤの隣接上位レイヤに送出するステップと、第１のデバイスのMACレイヤの隣接上位レイヤにより、第１のプリミティブを受信し、次に、MAC情報を搬送する隣接上位レイヤメッセージを生成し、隣接上位レイヤメッセージを第２のデバイスのMACレイヤの隣接上位レイヤに送出するステップと、第２のデバイスのMACレイヤの隣接上位レイヤにより、隣接上位レイヤメッセージを受信し、次に、MAC情報を搬送する第２のプリミティブを生成し、第２のプリミティブを第２のデバイスのMACレイヤに送出するステップとを含む。本発明の実施例によれば、上りリンク送信が異種ネットワークで実行されるときに、送信側デバイスが他のリンクを使用することにより、VLC  MAC情報を受信側デバイスに正確且つ有効に送出できないという問題が解決できる。
2019514241.tif 000002
【特許請求の範囲】
【請求項１】
第１のデバイスであるデバイスであって、
前記第１のデバイスの媒体アクセス制御MACレイヤがMAC情報を生成した後に、前記MAC情報を搬送する第１のプリミティブを生成するように構成された処理モジュールであり、
前記処理モジュールは、前記第１のプリミティブを前記第１のデバイスの前記MACレイヤの隣接上位レイヤに送出するように更に構成され、
前記処理モジュールは、前記第１のデバイスの前記MACレイヤの前記隣接上位レイヤが前記第１のプリミティブを受信した後に、前記MAC情報を搬送する隣接上位レイヤメッセージを生成するように構成される、処理モジュールと、
前記隣接上位レイヤメッセージを第２のデバイスのMACレイヤの隣接上位レイヤに送出するように構成された送出モジュールであり、前記隣接上位レイヤメッセージは、第２のプリミティブを使用することにより、前記MAC情報を前記VLCアクセスポイントのMACレイヤに送出するように、前記第２のデバイスの前記MACレイヤの前記隣接上位レイヤに対して命令するために使用される、送出モジュールと
を含むデバイス。
【請求項２】
前記MAC情報は、前記第１のデバイスの前記MACレイヤにより生成された送達確認ACKフレーム又はコマンドフレームを含む、請求項１に記載のデバイス。
【請求項３】
前記第１のプリミティブは、前記第２のデバイスのアドレス情報を更に搬送する、請求項１又は２に記載のデバイス。
【請求項４】
前記第２のプリミティブは、前記第１のデバイスのアドレス情報を更に搬送する、請求項１乃至３のうちいずれか１項に記載のデバイス。
【請求項５】
前記送出モジュールは、
指定のリンクを使用することにより、前記隣接上位レイヤメッセージを前記第２のデバイスの前記MACレイヤの前記隣接上位レイヤに送出するように具体的に構成され、前記指定のリンクは、有線リンク、RFリンク、IRリンク、有線リンク及びRFリンク、又は有線リンク及びIRリンクを含む、請求項１乃至４のうちいずれか１項に記載のデバイス。
【請求項６】
第２のデバイスであるデバイスであって、
第１のデバイスのMACレイヤの隣接上位レイヤにより送出された隣接上位レイヤメッセージを受信するように構成された受信モジュールであり、前記隣接上位レイヤメッセージは、前記第１のデバイスの前記MACレイヤの前記隣接上位レイヤが第１のプリミティブを受信した後に前記第１のデバイスの前記MACレイヤの前記隣接上位レイヤにより生成され且つMAC情報を搬送するメッセージである、受信モジュールと、
前記MAC情報を搬送する第２のプリミティブを生成し、前記第２のプリミティブを前記第２のデバイスのMACレイヤに送出するように構成された処理モジュールと
を含むデバイス。
【請求項７】
前記第１のプリミティブは、前記第２のデバイスのアドレス情報を更に搬送する、請求項６に記載のデバイス。
【請求項８】
前記第２のプリミティブは、前記第１のデバイスのアドレス情報を更に搬送する、請求項６又は７に記載のデバイス。
【請求項９】
上りリンク送信方法であって、
第１のデバイスの媒体アクセス制御MACレイヤにより、MAC情報を生成し、次に、前記MAC情報を搬送する第１のプリミティブを生成し、前記第１のプリミティブを前記第１のデバイスの前記MACレイヤの隣接上位レイヤに送出するステップと、
前記第１のデバイスの前記MACレイヤの前記隣接上位レイヤにより、前記第１のプリミティブを受信し、次に、前記MAC情報を搬送する隣接上位レイヤメッセージを生成し、前記隣接上位レイヤメッセージを第２のデバイスのMACレイヤの隣接上位レイヤに送出するステップと、
前記第２のデバイスの前記MACレイヤの前記隣接上位レイヤにより、前記隣接上位レイヤメッセージを受信し、次に、前記MAC情報を搬送する第２のプリミティブを生成し、前記第２のプリミティブを前記第２のデバイスの前記MACレイヤに送出するステップと
を含む方法。
【請求項１０】
前記MAC情報は、前記第１のデバイスの前記MACレイヤにより生成された送達確認ACKフレーム又はコマンドフレームを含む、請求項９に記載の方法。
【請求項１１】
前記第１のプリミティブは、前記第２のデバイスのアドレス情報を更に搬送する、請求項９又は１０に記載の方法。
【請求項１２】
前記第２のプリミティブは、前記第１のデバイスのアドレス情報を更に搬送する、請求項９乃至１１のうちいずれか１項に記載の方法。
【請求項１３】
前記第１のデバイスの前記MACレイヤの前記隣接上位レイヤにより、前記隣接上位レイヤメッセージを前記第２のデバイスのMACレイヤの隣接上位レイヤに送出するステップは、
前記第１のデバイスの前記MACレイヤの前記隣接上位レイヤにより、指定のリンクを使用することにより、前記隣接上位レイヤメッセージを前記第２のデバイスの前記MACレイヤの前記隣接上位レイヤに送出するステップであり、前記指定のリンクは、有線リンク、RFリンク、IRリンク、有線リンク及びRFリンク、又は有線リンク及びIRリンクを含む、ステップを含む、請求項９乃至１２のうちいずれか１項に記載の方法。
【請求項１４】
上りリンク送信方法であって、
第１のデバイスの媒体アクセス制御MACレイヤにより、MAC情報を生成し、次に、前記MAC情報を搬送する第１のプリミティブを生成し、前記第１のプリミティブを前記第１のデバイスの前記MACレイヤの隣接上位レイヤに送出するステップと、
前記第１のデバイスの前記MACレイヤの前記隣接上位レイヤにより、前記第１のプリミティブを受信し、次に、前記MAC情報を搬送する隣接上位レイヤメッセージを生成し、前記隣接上位レイヤメッセージを第２のデバイスのMACレイヤの隣接上位レイヤに送出するステップであり、前記隣接上位レイヤメッセージは、第２のプリミティブを使用することにより、前記MAC情報を前記第２のデバイスの前記MACレイヤに送出するように、前記第２のデバイスの前記MACレイヤの前記隣接上位レイヤに対して命令するために使用される、ステップと
を含む方法。
【請求項１５】
前記MAC情報は、前記第１のデバイスの前記MACレイヤにより生成された送達確認ACKフレーム又はコマンドフレームを含む、請求項１４に記載の方法。
【請求項１６】
前記第１のプリミティブは、前記第２のデバイスのアドレス情報を更に搬送する、請求項１４又は１５に記載の方法。
【請求項１７】
前記第２のプリミティブは、前記第１のデバイスのアドレス情報を更に搬送する、請求項１４乃至１６のうちいずれか１項に記載の方法。
【請求項１８】
前記第１のデバイスの前記MACレイヤの前記隣接上位レイヤにより、前記隣接上位レイヤメッセージを前記第２のデバイスのMACレイヤの隣接上位レイヤに送出するステップは、
前記第１のデバイスの前記MACレイヤの前記隣接上位レイヤにより、指定のリンクを使用することにより、前記隣接上位レイヤメッセージを前記第２のデバイスの前記MACレイヤの前記隣接上位レイヤに送出するステップであり、前記指定のリンクは、有線リンク、RFリンク、IRリンク、有線リンク及びRFリンク、又は有線リンク及びIRリンクを含む、ステップを含む、請求項１４乃至１７のうちいずれか１項に記載の方法。
【請求項１９】
上りリンク送信方法であって、
第２のデバイスの媒体アクセス制御MACレイヤの隣接上位レイヤにより、第１のデバイスのMACレイヤの隣接上位レイヤにより送出された隣接上位レイヤメッセージを受信するステップであり、前記隣接上位レイヤメッセージは、前記第１のデバイスの前記MACレイヤの前記隣接上位レイヤが第１のプリミティブを受信した後に前記第１のデバイスの前記MACレイヤの前記隣接上位レイヤにより生成され且つMAC情報を搬送するメッセージである、ステップと、
前記第２のデバイスの前記MACレイヤの前記隣接上位レイヤにより、前記MAC情報を搬送する第２のプリミティブを生成し、前記第２のプリミティブを前記第２のデバイスの前記MACレイヤに送出するステップと
を含む方法。
【請求項２０】
前記第１のプリミティブは、前記第２のデバイスのアドレス情報を更に搬送する、請求項１９に記載の方法。
【請求項２１】
前記第２のプリミティブは、前記第１のデバイスのアドレス情報を更に搬送する、請求項１９又は２０に記載の方法。
【請求項２２】
請求項１乃至５のうちいずれか１項に記載の第１のデバイスと、請求項６乃至８のうちいずれか１項に記載の第２のデバイスとを含む通信システム。
【発明の詳細な説明】
【技術分野】
【０００１】
本発明は、通信技術の分野に関し、特に上りリンク送信方法、関係するデバイス及びシステムに関する。
【背景技術】
【０００２】
可視光通信（visible  light  communication,  VLC）は、可視光周波数帯域の範囲内の電磁波が通信用の伝送媒体として使用される通信方式である。近年、VLC通信は、VLCに使用される周波数帯域の特殊性のため（例えば、(1)VLCは、430THzから750THzまでの比較的広い周波数スペクトルにあり、この周波数帯域はライセンスなしに使用でき、(2)インフラストラクチャが広く分布しており、(3)VLCは電磁汚染がなく、環境にやさしく、(4)VLCは人体に安全であり、(5)VLCにおける情報伝送が光によって照射できる位置のみに限られる必要があるため、VLCは、機密セキュリティ機能を有する）、学界及び業界において重視されている。
【０００３】
現在、VLC通信技術では、端末（スマートフォン又はタブレットコンピュータ等）からVLCアクセスポイント（Access  point,  AP）への上りリンク送信プロセスにおいて以下の問題が存在する。(1)端末からVLC  APへの上りリンク送信が端末の発光デバイスにより実行される必要があり、発光デバイスがオンになっているときにユーザによる端末の使用が影響を受けるため、ユーザ体験が乏しい。(2)発光デバイスがオンになっているときに、端末の電力が消費される必要があり、端末の電力消費がその場合に増加するため、電力消費が比較的大きい。(3)壁又はドアのような障害物はVLC送信を通過できないため、リンクがブロックされる可能性があり、VLC送信の範囲及び距離が制限される。(4)光の伝送は指向性があるため、上りリンク送信において隠れノードが存在する。端末がVLC  APへの上りリンク送信を実行したときに、VLC  APのカバレッジエリア内の他の端末は、端末により実行された上りリンク送信を検出できず、すなわち、端末は互いに隠れノードである。したがって、現在の端末が上りリンク送信を実行しているときに、他の端末もまたデータをVLC  APに送出する場合、衝突が発生し、それにより、ネットワークスループットに影響を与える。
【０００４】
前述の問題を解決するために、VLCリンクが下り送信に使用され且つRFリンクが上りリンク送信に使用される異種ネットワークが提案されており、例えば、Wi-Fi、ZigBee、IR、ブルートゥース、LTE及びGSMが上りリンク送信に使用される。VLC  MAC情報（送達確認（Acknowledgment,  ACK）フレーム又はコマンドフレーム等）の上りリンク送信プロセスにおいて、上りリンク送信を実行するためにVLCリンクをRFリンクで置き換えることは、VLC上りリンク送信における前述の問題をより良く回避できる。しかし、送信側において、VLC媒体アクセス制御（Media  Access  Control,  MAC）レイヤは、まず、プリミティブ（primitive）を使用することにより、VLC  MAC情報を隣接上位レイヤに送出する必要があり、次に、受信側において、隣接上位レイヤは、プリミティブを使用することにより、VLC  MAC情報をVLC  MACレイヤに送出する必要がある。プロトコルスタックにおいて隣接するプロトコルレイヤの間の相互作用は、プリミティブを使用することにより実現される必要があり、各プリミティブは固定の機能を有する。プリミティブが標準において定義及び規定された後に、プリミティブ名、プリミティブタイプ、プリミティブパラメータ、プリミティブ機能、プリミティブが生成されるタイミング（occasion）、及びプリミティブが受信された後のアクションが、プリミティブと１対１の対応関係になる。既存のIEEE802.15.7標準で規定されたプリミティブの中で、どのプリミティブも、VLC  MACレイヤとVLC  MACレイヤの隣接上位レイヤとの間でVLC  MACレイヤにより生成されたACKフレーム及びコマンドフレームを正確に交換する前述の機能を実現できない。したがって、既存の標準によれば、上りリンク送信が異種ネットワークで実行されたときに、送信側デバイスは、他のリンクを使用することにより、VLC  MAC情報を受信側デバイスに正確且つ有効に送出できない。
【発明の概要】
【０００５】
本発明の実施例は、上りリンク送信が異種ネットワークで実行されるときに、送信側デバイスが他のリンクを使用することにより、VLC  MAC情報を受信側デバイスに正確且つ有効に送出できないという問題を解決するための上りリンク送信方法を提供する。
【０００６】
本発明の実施例の第１の態様は、上りリンク送信方法を提供し、
第１のデバイスのMACレイヤにより、MAC情報を生成し、次に、MAC情報を搬送する第１のプリミティブを生成し、第１のプリミティブを第１のデバイスのMACレイヤの隣接上位レイヤに送出するステップと、第１のデバイスのMACレイヤの隣接上位レイヤにより、第１のプリミティブを受信し、次に、MAC情報を搬送する隣接上位レイヤメッセージを生成し、前述の隣接上位レイヤメッセージを第２のデバイスのMACレイヤの隣接上位レイヤに送出するステップと、第２のデバイスのMACレイヤの隣接上位レイヤにより、前述の隣接上位レイヤメッセージを受信し、次に、MAC情報を搬送する第２のプリミティブを生成し、第２のプリミティブを第２のデバイスのMACレイヤに送出するステップとを含み、それにより、上りリンク送信が異種ネットワークで実行されるときに、送信側デバイスが他のリンクを使用することにより、VLC  MAC情報を受信側デバイスに正確且つ有効に送出できないという問題を解決する。
【０００７】
本発明の実施例の第１の態様を参照して、第１の態様の第１の可能な実現方式では、MAC情報は、第１のデバイスのMACレイヤにより生成されたACKフレーム又はコマンドフレームを含む。
【０００８】
本発明の実施例の第１の態様又は第１の態様の第１の可能な実現方式を参照して、第１の態様の第２の可能な実現方式では、第１のプリミティブは、第２のデバイスのアドレス情報を更に搬送する。第２のデバイスのアドレス情報は、第２のデバイスにより、前述のMAC情報が第２のデバイスの（PLC  MACレイヤではなく）VLC  MACレイヤに送出される必要があることを決定するために使用される。このように、第２のデバイスのMACレイヤの隣接上位レイヤにより実行される処理アクションの不確実性が回避できる。
【０００９】
本発明の実施例の第１の態様又は第１の態様の第１若しくは第２の可能な実現方式のうちいずれか１つを参照して、第１の態様の第３の可能な実現方式では、第２のプリミティブは、第１のデバイスのアドレス情報を更に搬送する。第１のデバイスのアドレス情報は、第２のデバイスにより、前述のMAC情報の送出主体を決定するために使用され、それにより、送出主体の不確実性により第２のデバイスにより実行される誤った処理又は非効率的な処理を回避する。
【００１０】
本発明の実施例の第１の態様又は第１の態様の第１〜第３の可能な実現方式のうちいずれか１つを参照して、第１の態様の第４の可能な実現方式では、第１のデバイスのMACレイヤの隣接上位レイヤにより、隣接上位レイヤメッセージを第２のデバイスのMACレイヤの隣接上位レイヤに送出する具体的な実現方式は以下の通りである。
第１のデバイスのMACレイヤの隣接上位レイヤにより、指定のリンクを使用することにより、前述の隣接上位レイヤメッセージを第２のデバイスのMACレイヤの隣接上位レイヤに送出し、指定のリンクは、有線リンク、RFリンク、IRリンク、有線リンク及びRFリンク、又は有線リンク及びIRリンクを含む。
【００１１】
本発明の実施例の第１の態様又は第１の態様の第１〜第４の可能な実現方式のうちいずれか１つを参照して、第１の態様の第５の可能な実現方式では、第１のデバイスのMACレイヤの隣接上位レイヤは、第１のデバイスのMACレイヤの隣接上位レイヤが第１のプリミティブを受信した後に、MACレイヤデータ応答プリミティブを第１のデバイスのMACレイヤに返信する。
【００１２】
本発明の実施例の第１の態様又は第１の態様の第１〜第５の可能な実現方式のうちいずれか１つを参照して、第１の態様の第６の可能な実現方式では、第２のデバイスのMACレイヤは、第２のデバイスのMACレイヤの隣接上位レイヤが前述の第２のプリミティブを第２のデバイスのMACレイヤに送出した後に、MACレイヤデータ送達確認プリミティブを第２のデバイスのMACレイヤの隣接上位レイヤに返信する。
【００１３】
本発明の実施例の第２の態様は上りリンク送信方法を提供し、
第１のデバイスのMACレイヤにより、MAC情報を生成し、次に、MAC情報を搬送する第１のプリミティブを生成し、第１のプリミティブを第１のデバイスのMACレイヤの隣接上位レイヤに送出するステップと、第１のデバイスのMACレイヤの隣接上位レイヤにより、第１のプリミティブを受信し、次に、MAC情報を搬送する隣接上位レイヤメッセージを生成し、前述の隣接上位レイヤメッセージを第２のデバイスのMACレイヤの隣接上位レイヤに送出するステップであり、前述の隣接上位レイヤメッセージは、第２のプリミティブを使用することにより、MAC情報を第２のデバイスのMACレイヤに送出するように、第２のデバイスのMACレイヤの隣接上位レイヤに対して命令するために使用される、ステップとを含み、それにより、上りリンク送信が異種ネットワークで実行されるときに、送信側デバイスが他のリンクを使用することにより、VLC  MAC情報を受信側デバイスに正確且つ有効に送出できないという問題を解決する。
【００１４】
本発明の実施例の第２の態様を参照して、第２の態様の第１の可能な実現方式では、MAC情報は、第１のデバイスのMACレイヤにより生成された送達確認ACKフレーム又はコマンドフレームを含む。
【００１５】
本発明の実施例の第２の態様又は第２の態様の第１の可能な実現方式を参照して、第２の態様の第２の可能な実現方式では、第１のプリミティブは、第２のデバイスのアドレス情報を更に搬送する。第２のデバイスのアドレス情報は、第２のデバイスにより、前述のMAC情報が第２のデバイスの（PLC  MACレイヤではなく）VLC  MACレイヤに送出される必要があることを決定するために使用される。このように、第２のデバイスのMACレイヤの隣接上位レイヤにより実行される処理アクションの不確実性が回避できる。
【００１６】
本発明の実施例の第２の態様又は第２の態様の第１若しくは第２の可能な実現方式のうちいずれか１つを参照して、第２の態様の第３の可能な実現方式では、第２のプリミティブは、第１のデバイスのアドレス情報を更に搬送する。第１のデバイスのアドレス情報は、第２のデバイスにより、前述のMAC情報の送出主体を決定するために使用され、それにより、送出主体の不確実性により第２のデバイスにより実行される誤った処理又は非効率的な処理を回避する。
【００１７】
本発明の実施例の第２の態様又は第２の態様の第１〜第３の可能な実現方式のうちいずれか１つを参照して、第２の態様の第４の可能な実現方式では、第１のデバイスのMACレイヤの隣接上位レイヤにより、前述の隣接上位レイヤメッセージを第２のデバイスのMACレイヤの隣接上位レイヤに送出する具体的な実現方式は以下の通りである。第１のデバイスのMACレイヤの隣接上位レイヤにより、指定のリンクを使用することにより、前述の隣接上位レイヤメッセージを第２のデバイスのMACレイヤの隣接上位レイヤに送出し、指定のリンクは、有線リンク、RFリンク、IRリンク、有線リンク及びRFリンク、又は有線リンク及びIRリンクを含む。
【００１８】
本発明の実施例の第３の態様は、上りリンク送信方法を提供し、
第２のデバイスのMACレイヤの隣接上位レイヤにより、第１のデバイスのMACレイヤの隣接上位レイヤにより送出された隣接上位レイヤメッセージを受信するステップであり、前述の隣接上位レイヤメッセージは、第１のデバイスのMACレイヤの隣接上位レイヤが第１のプリミティブを受信した後に第１のデバイスのMACレイヤの隣接上位レイヤにより生成され且つMAC情報を搬送するメッセージである、ステップと、第２のデバイスのMACレイヤの隣接上位レイヤにより、MAC情報を搬送する第２のプリミティブを生成し、第２のプリミティブを第２のデバイスのMACレイヤに送出するステップとを含み、それにより、上りリンク送信が異種ネットワークで実行されるときに、送信側デバイスが他のリンクを使用することにより、VLC  MAC情報を受信側デバイスに正確且つ有効に送出できないという問題を解決する。
【００１９】
本発明の実施例の第３の態様を参照して、第３の態様の第１の可能な実現方式では、第１のプリミティブは、第２のデバイスのアドレス情報を更に搬送する。第２のデバイスのアドレス情報は、第２のデバイスにより、前述のMAC情報が第２のデバイスの（PLC  MACレイヤではなく）VLC  MACレイヤに送出される必要があることを決定するために使用される。このように、第２のデバイスのMACレイヤの隣接上位レイヤにより実行される処理アクションの不確実性が回避できる。
【００２０】
本発明の実施例の第３の態様又は第３の態様の第１の可能な実現方式を参照して、第３の態様の第２の可能な実現方式では、第２のプリミティブは、第１のデバイスのアドレス情報を更に搬送する。第１のデバイスのアドレス情報は、第２のデバイスにより、前述のMAC情報の送出主体を決定するために使用され、それにより、送出主体の不確実性により第２のデバイスにより実行される誤った処理又は非効率的な処理を回避する。
【００２１】
本発明の実施例の第４の態様は、第２の態様による方法を実行するように構成されたモジュールを含むデバイスを提供する。
【００２２】
本発明の実施例の第５の態様は、第３の態様による方法を実行するように構成されたモジュールを含むデバイスを提供する。
【００２３】
本発明の実施例の第６の態様は、デバイスを提供し、デバイスはプロセッサを含み、プロセッサは、第２の態様による上りリンク送信方法における対応する機能を実行する際にデバイスをサポートするように構成される。デバイスはメモリを更に含んでもよく、メモリは、プロセッサに結合され、デバイスに必要なプログラム命令及びデータを記憶するように構成される。デバイスは、デバイスと他のデバイス又は通信ネットワークとの間の通信を実行するように構成された通信インタフェースを更に含んでもよい。
【００２４】
本発明の実施例の第７の態様は、デバイスを提供し、デバイスはプロセッサを含み、プロセッサは、第３の態様による上りリンク送信方法における対応する機能を実行する際にデバイスをサポートするように構成される。デバイスはメモリを更に含んでもよく、メモリは、プロセッサに結合され、デバイスに必要なプログラム命令及びデータを記憶するように構成される。デバイスは、デバイスと他のデバイス又は通信ネットワークとの間の通信を実行するように構成された通信インタフェースを更に含んでもよい。
【００２５】
本発明の実施例の第８の態様は、第６の態様によるデバイスにより使用されるコンピュータソフトウェア命令を記憶するように構成されたコンピュータ記憶媒体を提供する。コンピュータソフトウェア命令は、前述の態様を実行するように設計されたプログラムを含む。
【００２６】
本発明の実施例の第９の態様は、第７の態様によるデバイスにより使用されるコンピュータソフトウェア命令を記憶するように構成されたコンピュータ記憶媒体を提供する。コンピュータソフトウェア命令は、前述の態様を実行するように設計されたプログラムを含む。
【００２７】
本発明の実施例の第１０の態様は、第５の態様による第１のデバイス及び／又は第６の態様による第２のデバイスを含む通信システムを提供する。
【００２８】
本発明において提供される解決策は、上りリンク送信が異種ネットワークで実行されるときに、送信側デバイスが他のリンクを使用することにより、VLC  MAC情報を受信側デバイスに正確且つ有効に送出できないという問題を解決できる。
【００２９】
本発明の上記及び他の態様は、以下の実施例の説明において、より簡明になり、理解できる。
【図面の簡単な説明】
【００３０】
本発明の実施例又は従来技術における技術的解決策をより明確に説明するために、以下に、実施例又は従来技術を説明するために必要な添付図面について簡単に説明する。明らかに、以下の説明における添付図面は、本発明の単にいくつかの実施例を示しているに過ぎず、当業者は、創造的取り組みなしに、依然としてこれらの添付図面から他の図面を導き得る。
【図１】本発明の実施例による通信システムの概略図である。
【図２】本発明の実施例による下りリンクVLC+RF異種ネットワークである。
【図３】本発明の実施例による他の下りリンクVLC+RF異種ネットワークである。
【図４】本発明の実施例による上りリンク送信方法の概略フローチャートである。
【図５】実施例の実施例によるメッセージSEND-MAC-MESSAGE  indicationのフォーマットの概略図である。
【図６】図７に示す上りリンク送信方法による異種システムにおける上りリンク送信プロセスの概略図である。
【図７】図２に示す異種ネットワークの上りリンク送信方法の概略フローチャートである。
【図８】図９に示す上りリンク送信方法による異種システムにおける上りリンク送信プロセスの概略図である。
【図９】図３に示す異種ネットワークの上りリンク送信方法の概略フローチャートである。
【図１０】本発明の実施例による第２のデバイスの概略構成図である。
【図１１】本発明の実施例による第１のデバイスの概略構成図である。
【図１２】本発明の実施例によるデバイスの概略構成図である。
【発明を実施するための形態】
【００３１】
本発明における技術的解決策を当業者により良く理解してもらうために、以下に、本発明の実施例における添付図面を参照して、本発明の実施例における技術的解決策を明確に説明する。明らかに、説明する実施例は、本発明の実施例の全部ではなく、単なる一部である。創造的取り組みなしに本発明の実施例に基づいて当業者により取得される全ての他の実施例は、本発明の実施例の保護範囲内に入るものとする。
【００３２】
本発明の明細書、特許請求の範囲及び添付図面において、「第１」、「第２」、「第３」、「第４」等の用語は、異なる対象物の間を区別することを意図するものであり、特定の順序を示すものではない。さらに、「含む」、「包含する」又は他のその変形の用語は、非排他的包含をカバーすることを意図する。例えば、一連のステップ又はユニットを含むプロセス、方法、システム、プロダクト又はデバイスは、記載されたステップ又はユニットに限定されず、任意選択で記載されていないステップ又はユニットを更に含むか、或いは任意選択でプロセス、方法、プロダクト又はデバイスの他の固有のステップ又はユニットを更に含む。
【００３３】
明細書において「実施例」に言及することは、実施例を参照して説明する特定の特徴、構造又は特性が本発明の少なくとも１つの実施例に含まれてもよいことを意味する。明細書の様々な位置に示される語句は必ずしも同じ実施例を示さなくてもよく、他の実施例と排他的な独立した実施例又は任意選択の実施例ではない。明細書において説明する実施例が他の実施例と組み合わされてもよいことが、当業者により明示的且つ暗示的に理解される。
【００３４】
当業者による理解を容易にするため、以下に、この出願におけるいくつかの用語を説明する。
【００３５】
(1)第１のデバイス及び第２のデバイスは、可視光通信を実行できるデバイスである。例えば、デバイスは端末でもよい。ユーザ装置（User  Equipment,  UE）とも呼ばれる端末は、可視光通信機能を有するハンドヘルドデバイス又は車両デバイスのような、ユーザのための音声及びデータ接続性を提供するデバイスである。一般的な端末は、例えば、移動電話、タブレットコンピュータ、ノートブックコンピュータ、パームトップコンピュータ、モバイルインターネットデバイス（mobile  internet  device,  MID）、又はスマートウォッチ、スマートバンド若しくは歩数計のようなウェアラブルデバイスを含む。他の例では、デバイスは、VPAN上の端末のためのネットワークアクセスを提供し、VPANの動作を管理及び維持する、可視光通信パーソナルエリアネットワーク（Visible  Light  Communication  Personal  Area  Network,  VPAN）上のマスターノードであるVLCアクセスポイント（Access  point,  AP）でもよい。端末は、APにアクセスすることによりネットワークに接続される。通常では、VLC  APは、天井の発光ダイオード（Light  Emitting  Diode,  LED）ライトにより動かされる。更に他の例では、デバイスはまた、可視光通信機能を有し且つセルラネットワークのアクセスネットワーク側にある無線アクセスネットワーク（Radio  Access  Network,  RAN）デバイスでもよい。いわゆるRANデバイスは、端末を無線ネットワークにアクセスさせるデバイスであり、RANデバイスは、進化型ノードB（evolved  NodeB,  eNB）、無線ネットワークコントローラ（radio  network  controller,  RNC）、ノードB（NodeB,  NB）、基地局コントローラ（Base  Station  Controller,  BSC）、基地送受信局（Base  Transceiver  Station,  BTS）、ホーム基地局（Home  evolved  NodeB,  HeNB又はHome  NodeB,  HNB等）又はベースバンドユニット（BaseBand  Unit,  BBU）を含むが、これらに限定されない。更に他の例では、デバイスはまた、グローバルコントローラ（Global  Controller,  Global  CCo）でもよい。Global  CCoは、有線接続リンクを使用することによりVPANのAPに接続されたグローバル制御ノードであり、一緒にVPANの連携及び管理動作の役目をする。
【００３６】
(2)MACレイヤ：本発明の実施例におけるMACレイヤは、データプレーン及び管理プレーンを含むVLC  MACレイヤである。MACレイヤのデータプレーンは、上位レイヤから配送されたサービスデータに対してMACフレーミングを実行し、物理レイヤにより提示されるMACフレームを分割する役目をする。MACレイヤの管理プレーンは、様々なMACレイヤコマンドフレームを生成し、MACレイヤにより受信されたコマンドフレームを認識し、MACレイヤコマンドフレームに従って対応する処理アクションを実行する役目をする。
【００３７】
(3)MACレイヤの隣接上位レイヤは、IEEE1905.1標準における抽象レイヤである。抽象レイヤは、上位レイヤ（LLCレイヤ又はLLCレイヤの上のプロトコルレイヤ）に対して下位レイヤ（MACレイヤ及びPHYレイヤ）により使用される具体的な技術を遮蔽し、それにより、上位レイヤの観点から、１つのみの技術が下位レイヤにおいて使用されるように見える。したがって、どのアプリケーションがデバイスの上位レイヤアプリケーションにより使用されているか、或いはどの技術（複数の技術）がデバイスの下位レイヤによりサポートされているかに拘わらず、抽象レイヤは、データパケットを送信するために適切なポートを常に選択できる。MACレイヤの隣接上位レイヤの参照レイヤはMACレイヤである。MACレイヤ及びMACレイヤの隣接上位レイヤは互いに相互作用できる。いくつかのシナリオでは、MACレイヤは、プリミティブを使用することにより他の上位レイヤと相互作用できない。
【００３８】
(4)MAC情報は、MACレイヤのデータプレーンにより生成されるACKフレーム、MACレイヤの管理プレーンにより生成されるコマンドフレーム、又はMACレイヤにより生成される他の情報のような、MACレイヤにより生成される情報である。
【００３９】
(5)隣接上位レイヤメッセージは、製造者によりカスタマイズされた抽象レイヤ管理メッセージであり、プリミティブを使用することにより、MACレイヤにより提示されるMAC情報を搬送し、隣接上位レイヤが管理メッセージを受信した後に受信側デバイスの隣接上位レイヤにより実行される処理アクションを規定するために使用される。このように、メッセージを受信したデバイスの隣接上位レイヤにより、メッセージを受信した後に実行される処理アクションが決定され、受信側デバイスの隣接上位レイヤにより実行される処理アクションの不確実性の問題が回避される。
【００４０】
(6)プリミティブは、プロトコルスタックにおける２つの隣接するレイヤが相互作用を実行しているときに交換されるパラメータセットである。パラメータセットには、相互作用の他方の相手のために一方の相手により提供される必要な情報が存在する。パラメータに加えて、各プリミティブは、プリミティブの生成条件、プリミティブ相互作用の目的、他方の相手がプリミティブを受信した後に実行される処理アクション等を厳格に更に規定する。全体のサービスプリミティブは、名前、タイプ及びパラメータを含む。さらに、プリミティブは、プリミティブが生成されるタイミング、プリミティブの機能及びプリミティブが受信された後に実行されるアクションを更に規定する必要がある。
【００４１】
(7)「複数」は２つ以上を意味する。「及び／又は」は関係する対象物を記述するための関連付け関係を記述し、３つの関係が存在し得ることを表す。例えば、A及び／又はBは、以下の３つの場合、すなわち、Aのみが存在すること、A及びBの双方が存在すること、並びにBのみが存在することを表してもよい。文字「／」は、一般的に関係する対象物の間の「又は」の関係を示す。
【００４２】
以下に、添付図面を参照してこの出願の実施例を詳細に説明する。
【００４３】
図１を参照すると、図１は、本発明の実施例に開示される通信システムの概略図である。図１に示す通信システムは、第１のデバイス110と、第２のデバイス120とを含む。第１のデバイス110のMACレイヤは、MAC情報を生成し、次に、MAC情報を搬送する第１のプリミティブを生成し、第１のプリミティブを第１のデバイス110のMACレイヤの隣接上位レイヤに送出する。第１のデバイス110のMACレイヤの隣接上位レイヤは、第１のプリミティブを受信し、次に、MAC情報を搬送する隣接上位レイヤメッセージを生成し、隣接上位レイヤメッセージを第２のデバイス120のMACレイヤの隣接上位レイヤに送出する。第２のデバイス120のMACレイヤの隣接上位レイヤは、隣接上位レイヤメッセージを受信し、次に、MAC情報を搬送する第２のプリミティブを生成する。最後に、第２のデバイス120のMACレイヤの隣接上位レイヤは、第２のプリミティブを第２のデバイス120のMACレイヤに送出する。このように、上りリンク送信が異種ネットワークで実行されるときに、送信側デバイスが他のリンクを使用することにより、VLC  MACフレームを受信側デバイスに正確且つ有効に送出できないという問題が解決される。
【００４４】
この出願は、図２に示す下りリンクVLC+上りリンクRF異種ネットワーク又は図３に示す下りリンクVLC+上りリンクRF異種ネットワークのような、可視光通信技術が使用されるいずれかのネットワークに適用可能である。図２及び図３に示す異種ネットワーク上で、第１のデバイス110が端末（UE1及びUE2を含む）であり、第２のデバイス120がVLC  AP（VLC  AP1及びVLC  AP2を含む）であることを仮定すると、図２及び図３に示す異種ネットワーク上で、Wi-Fiリンクが上りリンク及び下りリンクの双方に使用されてもよく、或いはWi-Fi上りリンクが上りリンクのみで使用されてもよい。これは具体的に限定されない。すなわち、この出願は、VLCリンクが下りリンクのみに使用される場合のみにかかわり、Wi-Fiリンクが上りリンク及び下りリンクの双方に使用されるか否かにかかわらない。さらに、ゲートウェイ及びLEDライトを接続する有線接続は、以下の有線接続形式、すなわち、電力線通信（Power  Line  Communication,  PLC）、Ethernet、電話回線、同軸ケーブル、光ファイバ等のうちいずれか１つでもよい。これはこの出願では具体的に限定されない。PLCがこの出願における詳細な説明のための例として使用される。図３と図２との間の違いは以下の通りである。図２におけるWi-Fi  APはゲートウェイに位置し、端末がMAC情報（ACKフレーム又はコマンドフレーム等）をVLC  APに送出する必要があるときに、MAC情報は、まずWi-Fiリンクを使用することによりゲートウェイに送出される必要があり、次に、ゲートウェイがPLCリンクを使用することによりMAC情報をVLC  APに送出する。しかし、図３におけるWi-Fi  AP及びVLC  APの双方はLEDライトに位置し、すなわち、LEDライトはPLCポート及びVLCポートを有するだけでなく、Wi-Fiポートも有する。したがって、端末がMAC情報をVLC  APに送出する必要があるときに、MAC情報は、PLCリンクの参加なしに、Wi-Fiリンクを使用することによりVLC  APにより直接送出できる。
【００４５】
当業者による理解を容易にするため、以下に、添付図面を参照して本発明の実施例を詳細に説明する。
【００４６】
図４に示すように、本発明の実施例において提供される上りリンク送信方法は以下のステップを含む。
【００４７】
S401.第１のデバイスのMACレイヤは、MAC情報を生成する。
【００４８】
S402.第１のデバイスは、前述のMAC情報を搬送する第１のプリミティブを生成し、前述の第１のプリミティブを第１のデバイスのMACレイヤの隣接上位レイヤに送出する。
【００４９】
S403.第１のデバイスのMACレイヤの隣接上位レイヤは、第１のプリミティブを受信し、前述のMAC情報を搬送する隣接上位レイヤメッセージを生成する。
【００５０】
S404.第１のデバイスのMACレイヤの隣接上位レイヤは、前述の隣接上位レイヤメッセージを第２のデバイスのMACレイヤの隣接上位レイヤに送出する。
【００５１】
S405.第２のデバイスのMACレイヤの隣接上位レイヤは、前述の隣接上位レイヤメッセージを受信し、前述のMAC情報を搬送する第２のプリミティブを生成する。
【００５２】
S406.第２のデバイスのMACレイヤの隣接上位レイヤは、前述の第２のプリミティブを第２のデバイスのMACレイヤに送出する。
【００５３】
ステップS401において、第１のデバイスのMACレイヤにより生成されたMAC情報は、ACKフレーム又はコマンドフレームでもよい。
【００５４】
ステップ402において生成され且つ前述のMAC情報を搬送する第１のプリミティブは、MACレイヤデータ指示プリミティブMLME-DATA.indicationである。プリミティブは、前述のMAC情報を第２のデバイスのMACレイヤの隣接上位レイヤに送出するように、第１のデバイスのMACレイヤの隣接上位レイヤに対して命令するために使用される。通常では、MLMEで始まるプリミティブは、MACレイヤ管理プレーンプリミティブであり、第１のプリミティブの英文名はまた、この出願のこの実施例においてMLMEで始まるプリミティブとして定義されるが、これは、第１のプリミティブが必ずしもMACレイヤ管理プレーンプリミティブであることを示しているのではない点に留意すべきである。第１のプリミティブはまた、MACレイヤデータプレーンプリミティブでもよく、例えば、第１のプリミティブの英文名がMCPS-DATA.indicationとして定義されることもまた、この出願の保護範囲内に入る。プリミティブMLME-DATA.indicationは、少なくとも以下のパラメータ、すなわち、第１のデバイスのアドレス情報、第２のデバイスのアドレス情報及びMSDU（ACKフレーム又はコマンドフレーム等）を含む。第１のデバイスの前述のアドレス情報は、第１のデバイスのVLC  MACアドレス又は第１のデバイスの隣接上位レイヤアドレスにVLCポートを示すために使用されるインジケータを加えたものでもよい送信元アドレスである。これはこの出願では限定されない。第２のデバイスの前述のアドレス情報は、第２のデバイスのVLC  MACアドレス又は第２のデバイスの隣接上位レイヤアドレスにVLCポートを示すために使用されるインジケータを加えたものでもよい宛先アドレスである。これはこの出願では限定されない。この出願では、送信元アドレスは、第１のデバイスのアドレス情報を詳細に記述するための例として使用され、宛先アドレスは、第２のデバイスのアドレス情報を詳細に記述するための例として使用される。プリミティブMLME-DATA.indicationは他のパラメータを更に含んでもよく、これはこの出願では限定されない。プリミティブMLME-DATA.indicationに含まれるパラメータについての説明は表１に示されている。第１のプリミティブは、第１のデバイスのMACレイヤがMAC情報を生成した後、且つ、MAC情報が隣接上位レイヤにより第２のデバイスに送出される必要があるときに生成される。第１のプリミティブを受信した後に、隣接上位レイヤは、隣接上位レイヤメッセージを生成し、メッセージのペイロードとして第１のプリミティブにある送信元アドレス、宛先アドレス及びMSDUのようなパラメータをカプセル化する必要がある。
【表１】
2019514241.tif 000003
【００５５】
ステップS403において、第１のデバイスのMACレイヤの隣接上位レイヤが第１のプリミティブを受信した後に第１のデバイスのMACレイヤの隣接上位レイヤにより生成され且つ前述のMAC情報を搬送する隣接上位レイヤメッセージは、送出MACメッセージ指示メッセージSEND-MAC-MESSAGE.indicationである。隣接上位レイヤメッセージは、プリミティブMLME-DATA.indicationで搬送される送信元アドレス、宛先アドレス及びMSDUのようなパラメータを搬送し、パラメータは、隣接上位レイヤメッセージのペイロード部として使用される。メッセージSEND-MAC-MESSAGE.indicationのフォーマットが図５に示されている。メッセージSEND-MAC-MESSAGE.indicationのパラメータについての説明は、表２に示されている。
【表２】
2019514241.tif 000004
【００５６】
表２の送信元アドレスTLVのフォーマットは、表３に示されている。
【表３】
2019514241.tif 000005
【００５７】
表２の宛先アドレスTLVのフォーマットは、表４に示されている。
【表４】
2019514241.tif 000006
【００５８】
表２のMACフレームTLVのフォーマットは、表５に示されている。
【表５】
2019514241.tif 000007
【００５９】
ステップS404において、第１のデバイスのMACレイヤの隣接上位レイヤが前述の隣接上位レイヤメッセージを第２のデバイスのMACレイヤの隣接上位レイヤに送出する具体的な実現方式は以下の通りでもよい。第１のデバイスのMACレイヤの隣接上位レイヤにより、指定のリンクを使用することにより、隣接上位レイヤメッセージをVLCアクセスポイントのMACレイヤの隣接上位レイヤに送出する。指定のリンクは、有線リンク、RFリンク、IRリンク、有線リンク及びRFリンク、又は有線リンク及びIRリンクを含む。有線リンクは、PLCリンク、Ethernetリンク、光ファイバリンク、同軸リンク、電話有線リンク等を含む。RFリンクは、Wi-Fiリンク、ZigBeeリンク、ブルートゥースリンク、LTEセルラリンク、LTEスモールセルリンク等を含む。IRリンクは赤外線リンクである。例えば、図２に示す異種ネットワークでは、Wi-Fi  APはゲートウェイに位置する。したがって、第１のデバイスのMACレイヤの隣接上位レイヤは、Wi-Fiリンク及びPLCリンクを使用することにより、前述の隣接上位レイヤメッセージを第２のデバイスのMACレイヤの隣接上位レイヤに送出する。他の例では、図３に示す異種ネットワークでは、Wi-Fi  Wi-Fi  AP及びVLC  APの双方はLEDライトに位置する。したがって、第１のデバイスのMACレイヤの隣接上位レイヤは、直接Wi-Fiリンクを使用することにより、前述の隣接上位レイヤメッセージを第２のデバイスのMACレイヤの隣接上位レイヤに送出してもよい。
【００６０】
ステップS405において、第２のデバイスのMACレイヤの隣接上位レイヤが前述の隣接上位レイヤメッセージを受信した後に、第２のデバイスのMACレイヤの隣接上位レイヤは、前述の隣接上位レイヤメッセージのペイロード部から、送信元アドレス、宛先アドレス及びMSDUを復元する。第２のデバイスのMACレイヤの隣接上位レイヤが隣接上位レイヤメッセージの関係するパラメータを取得した後に第２のデバイスのMACレイヤの隣接上位レイヤにより生成された第２のプリミティブは、MACレイヤデータ要求プリミティブMLME-DATA.requestである。プリミティブは、第２のデバイスのMACレイヤに送出され、プリミティブは、ペイロード部から復元されたアドレス、宛先アドレス及びMSDUを搬送する。プリミティブMLME-DATA.requestは、第１のデバイスから受信したメッセージSEND-MAC-MESSAGE.indicationにおけるペイロード部の内容を第２のデバイスのMACレイヤに伝送するために、第２のデバイスのMACレイヤの隣接上位レイヤにより使用される。プリミティブMLME-DATA.requestは、少なくとも以下のパラメータ、すなわち、送信元アドレス、宛先アドレス及びMSDUを含む。プリミティブMLME-DATA.requestは他のパラメータを更に含んでもよく、これはこの出願では限定されない。プリミティブMLME-DATA.requestに含まれるパラメータについての説明は、表６に示されている。第２のプリミティブは、第２のデバイスのMACレイヤの隣接上位レイヤが前述の隣接上位レイヤメッセージを受信した後に生成される。通常では、MLMEで始まるプリミティブは、MACレイヤ管理プレーンプリミティブであり、第２のプリミティブの英文名はまた、この出願のこの実施例においてMLMEで始まるプリミティブとして定義されるが、これは、第２のプリミティブが必ずしもMACレイヤ管理プレーンプリミティブであることを示しているのではない点に留意すべきである。第２のプリミティブはまた、MACレイヤデータプレーンプリミティブでもよく、例えば、第２のプリミティブの英文名がMCPS-DATA.requestとして定義されることもまた、この出願の保護範囲内に入る。
【表６】
2019514241.tif 000008
【００６１】
任意選択で、第２のデバイスのMACレイヤが第２のデバイスのMACレイヤの隣接上位レイヤにより送出された第２のプリミティブを受信した後に、第２のデバイスのMACレイヤは、プリミティブMLME-DATA.requestに含まれるMSDUがACKフレームであるかコマンドフレームであるかを認識する。MSDUがACKフレームである場合、送出されたMACフレームの受信状態は、ACKフレームに従って決定される。MSDUがコマンドフレームである場合、対応する処理がコマンドフレームの内容に従って実行される。
【００６２】
任意選択で、ステップS403において第１のデバイスのMACレイヤの隣接上位レイヤが第１のプリミティブを受信した後に、第１のデバイスのMACレイヤの隣接上位レイヤは、MACレイヤデータ応答プリミティブMLME-DATA.responseを第１のデバイスのMACレイヤに返信し、それにより、第１のデバイスのMACレイヤの隣接上位レイヤがプリミティブMLME-DATA.indicationを受信したことを第１のデバイスのMACレイヤに通知する。
【００６３】
任意選択で、ステップS406において第２のデバイスのMACレイヤの隣接上位レイヤが前述の第２のプリミティブを第２のデバイスのMACレイヤに送出した後に、第２のデバイスのMACレイヤは、MACレイヤデータ確認プリミティブMLME-DATA.confirmを第２のデバイスのMACレイヤの隣接上位レイヤに返信し、それにより、第２のデバイスのMACレイヤがプリミティブMLME-DATA.requestを受信したことを第２のデバイスのMACレイヤの隣接上位レイヤに通知する。
【００６４】
本発明のこの実施例では、MAC情報を生成した後に、第１のデバイスのMACレイヤが、第１のプリミティブを使用することにより、前述のMAC情報を端末のMACレイヤの隣接上位レイヤに送出し、前述のMAC情報を搬送する隣接上位レイヤメッセージを生成した後に、第１のデバイスのMACレイヤの隣接上位レイヤが、前述の隣接上位レイヤメッセージを第２のデバイスのMACレイヤの隣接上位レイヤに送出し、次に、第２のデバイスのMACレイヤの隣接上位レイヤが、第２のプリミティブを使用することにより、前述のMAC情報を第２のデバイスのMACレイヤに送出し、それにより、上りリンク送信が異種ネットワークで実行されるときに、送信側デバイスが他のリンクを使用することにより、VLC  MACフレームを受信側デバイスに正確且つ有効に送出できないという問題を解決することが認識できる。
【００６５】
例えば、図６及び図７を参照すると、図７は、図２に示す異種ネットワークに基づく上りリンク送信方法の概略フローチャートであり、図６は、図７に示す上りリンク送信方法による異種システムにおける上りリンク送信プロセスである。第１のデバイスはUEであり、第２のデバイスはVLC  APであり、第１のデバイスのMACレイヤはUEのVLC  MACレイヤであり、第２のデバイスのMACレイヤはVLC  APのVLC  MACレイヤである。この方法は以下のステップを含む。
【００６６】
S701.UEのVLC  MACレイヤは、MAC情報を生成し、前述のMAC情報はACKフレーム又はコマンドフレームを含む。
【００６７】
S702.UEのVLC  MACレイヤは、前述のMAC情報を搬送するプリミティブMLME-DATA.indicationを生成し、プリミティブMLME-DATA.indicationをUEのVLC  MACレイヤの隣接上位レイヤに送出する。
【００６８】
S703.UEのVLC  MACレイヤの隣接上位レイヤは、プリミティブMLME-DATA.indicationから、送信元アドレス、宛先アドレス及びMSDUを抽出し、送信元アドレス、宛先アドレス及びMSDUを搬送する隣接上位レイヤメッセージSEND-MAC-MESSAGE.indicationを生成する。
【００６９】
S704.UEのVLC  MACレイヤの隣接上位レイヤは、Wi-Fiリンク及びPLCリンクを使用することにより、隣接上位レイヤメッセージSEND-MAC-MESSAGE.indicationをVLC  APのVLC  MACレイヤの隣接上位レイヤに送出する。
【００７０】
UEのVLC  MACレイヤの隣接上位レイヤが、Wi-Fiリンク及びPLCリンクを使用することにより、隣接上位レイヤメッセージSEND-MAC-MESSAGE.indicationをVLC  APのVLC  MACレイヤの隣接上位レイヤに送出する具体的な実現方式は以下の通りである。UEのVLC  MACレイヤの隣接上位レイヤは、Wi-Fiリンクを使用することにより、隣接上位レイヤメッセージSEND-MAC-MESSAGE.indicationをゲートウェイに送出し、次に、ゲートウェイは、PLCリンクを使用することにより、隣接上位レイヤメッセージSEND-MAC-MESSAGE.indicationをVLC  APのVLC  MACレイヤの隣接上位レイヤに送出する。
【００７１】
前述の実現方式の具体的なプロセスは以下の通りである。
【００７２】
(1)UEのMACレイヤの隣接上位レイヤは、802.11  MACレイヤによりサポートされるプリミティブMA-UNITDATA.requestを使用することにより、メッセージSEND-MAC-MESSAGE.indication（802.11  MACレイヤでは、メッセージSEND-MAC-MESSAGE.indicationはMSDUである）を802.11ポートのMACレイヤに送出する。
【００７３】
(2)802.11ポートのMACレイヤは、MPDUを形成するために、プリミティブMA-UNITDATA.requestが受信された後に実行されるべき処理アクションに依存して、MSDUに対してMACレイヤ処理を実行し、処理が完了した後に、802.11ポートのPHYレイヤによりサポートされるプリミティブPHY-DATA.requestを使用することにより、MPDUを802.11ポートのPHYレイヤに送出する。
【００７４】
(3)802.11ポートのPHYレイヤは、802.11物理フレームを形成するために、プリミティブPHY-DATA.requestが受信された後に実行されるべき処理アクションに依存して、MPDUを処理し、PHYレイヤの送信機を使用することにより、物理フレームを802.11リンクに送出する。
【００７５】
(4)ゲートウェイの802.11ポートの物理レイヤは、MPDUを復元するために、802.11リンクから物理フレームを受信し、802.11物理レイヤの処理アクションに依存して、物理フレームを処理し、プリミティブPHY-DATA.indicationを使用することにより、MPDUを802.11ポートのMACレイヤに送出する。
【００７６】
(5)ゲートウェイの802.11ポートのMACレイヤは、MSDUを復元するために、プリミティブPHY-DATA.requestが受信された後に実行されるべき処理アクションに依存して、MPDUに対してMACレイヤ処理を実行し、プリミティブMA-UNITDATA.indicationを使用することにより、MSDUをゲートウェイの802.11ポートのMACレイヤの隣接上位レイヤに送出する。
【００７７】
(6)ゲートウェイの隣接上位レイヤは、隣接上位レイヤの内部転送ルール及びメッセージSEND-MAC-MESSAGE.indicationの宛先アドレスに従って、MSDUをゲートウェイのPLCポートに転送し、プリミティブM_UNITDATA.requestを使用することにより、MSDUをPLCポートのMACレイヤに送出する。
【００７８】
(7)ゲートウェイのPLCポートのMACレイヤは、MPDUを形成するために、プリミティブM_UNITDATA.requestが受信された後に実行されるべき処理アクションに依存して、MSDUに対してMACレイヤ処理を実行し、処理が完了した後に、PLCポートのPHYレイヤによりサポートされるプリミティブを使用することにより、MPDUをPLCポートのPHYレイヤに送出する。
【００７９】
(8)PLCポートのPHYレイヤは、PLC物理フレームを形成するために、プリミティブが受信された後に実行されるべき処理アクションに依存して、MPDUを処理し、PHYレイヤの送信機を使用することにより、物理フレームをPLCリンクに送出する。
【００８０】
(9)VLC  APのPLCポートの物理レイヤは、PLCリンクから物理フレームを受信し、MPDUを復元するために、PLC物理レイヤの処理アクションに依存して、物理フレームを処理し、プリミティブを使用することにより、MPDUをPLCポートのMACレイヤに送出する。
【００８１】
(10)VLC  APのPLCポートのMACレイヤは、MSDUを復元するために、プリミティブが受信された後に実行されるべき処理アクションに依存して、MPDUに対してMACレイヤ処理を実行し、プリミティブM_UNITDATA.indicationを使用することにより、MSDUをVLC  APのPLCポートのMACレイヤの隣接上位レイヤに送出する。
【００８２】
プリミティブを使用することにより、PLCポートのMACレイヤに提示されるMSDUは、隣接上位レイヤにより新たに定義された隣接上位レイヤメッセージSEND-MAC-MESSAGE.indicationである。したがって、隣接上位レイヤメッセージを受信した後に、VLC  APのMACレイヤの隣接上位レイヤは、このメッセージを認識できる。
【００８３】
S705.VLC  APのVLC  MACレイヤの隣接上位レイヤは、隣接上位レイヤメッセージSEND-MAC-MESSAGE.indicationを受信し、隣接上位レイヤメッセージSEND-MAC-MESSAGE.indicationから送信元アドレス、宛先アドレス及びMSDUを復元し、送信元アドレス、宛先アドレス及びMSDUを搬送するプリミティブMLME-DATA.requestを生成する。
【００８４】
VLC  APのVLC  MACレイヤの隣接上位レイヤは、宛先MACアドレスに従って、メッセージで搬送されたMSDUが（VLC  APのPLC  MACレイヤ又は上位レイヤではなく）VLC  APのVLC  MACレイヤに送出される必要があると決定できる。
【００８５】
S706.VLC  APのVLC  MACレイヤの隣接上位レイヤは、プリミティブMLME-DATA.requestをVLC  APのVLC  MACレイヤに送出する。
【００８６】
S707.VLC  APのVLC  MACレイヤは、プリミティブMLME-DATA.requestからMSDUを復元し、MSDUに従って対応する処理を実行する。
【００８７】
他の例では、図８及び図９を参照すると、図９は、図３に示す異種ネットワークに基づく上りリンク送信方法の概略フローチャートであり、図８は、図９に示す上りリンク送信方法による異種システムにおける上りリンク送信プロセスである。第１のデバイスはUEであり、第２のデバイスはVLC  APであり、第１のデバイスのMACレイヤはUEのVLC  MACレイヤであり、第２のデバイスのMACレイヤはVLC  APのVLC  MACレイヤである。この方法は以下のステップを含む。
【００８８】
S901.UEのVLC  MACレイヤは、MAC情報を生成し、前述のMAC情報はACKフレーム又はコマンドフレームを含む。
【００８９】
S902.UEのVLC  MACレイヤは、前述のMAC情報を搬送するプリミティブMLME-DATA.indicationを生成し、プリミティブMLME-DATA.indicationをUEのVLC  MACレイヤの隣接上位レイヤに送出する。
【００９０】
S903.UEのVLC  MACレイヤの隣接上位レイヤは、プリミティブMLME-DATA.indicationから、送信元アドレス、宛先アドレス及びMSDUを抽出し、送信元アドレス、宛先アドレス及びMSDUを搬送する隣接上位レイヤメッセージSEND-MAC-MESSAGE.indicationを生成する。
【００９１】
S904.UEのVLC  MACレイヤの隣接上位レイヤは、Wi-Fiリンクを使用することにより、隣接上位レイヤメッセージSEND-MAC-MESSAGE.indicationをVLC  APのVLC  MACレイヤの隣接上位レイヤに送出する。
【００９２】
UEのVLC  MACレイヤの隣接上位レイヤが、Wi-Fiリンクを使用することにより、隣接上位レイヤメッセージSEND-MAC-MESSAGE.indicationをVLC  APのVLC  MACレイヤの隣接上位レイヤに送出する具体的な実現方式は以下の通りである。UEのVLC  MACレイヤの隣接上位レイヤは、Wi-Fiリンクを使用することにより、隣接上位レイヤメッセージSEND-MAC-MESSAGE.indicationをVLC  APのWi-Fiポートに送出し、VLC  APのWi-Fiポートは、メッセージSEND-MAC-MESSAGE.indicationを復元し、メッセージSEND-MAC-MESSAGE.indicationをVLC  APのVLC  MACレイヤの隣接上位レイヤに送出する。
【００９３】
前述の実現方式の具体的なプロセスは以下の通りである。
【００９４】
(1)UEの隣接上位レイヤは、802.11  MACレイヤによりサポートされるプリミティブMA-UNITDATA.requestを使用することにより、メッセージSEND-MAC-MESSAGE.indication（MACレイヤでは、メッセージSEND-MAC-MESSAGE.indicationはMSDUである）を802.11ポートのMACレイヤに送出する。
【００９５】
(2)802.11ポートのMACレイヤは、MPDUを形成するために、プリミティブMA-UNITDATA.requestが受信された後に実行されるべき処理アクションに依存して、MSDUに対してMACレイヤ処理を実行し、処理が完了した後に、802.11ポートのPHYレイヤによりサポートされるプリミティブPHY-DATA.requestを使用することにより、MPDUを802.11ポートのPHYレイヤに送出する。
【００９６】
(3)802.11ポートのPHYレイヤは、802.11物理フレームを形成するために、プリミティブPHY-DATA.requestが受信された後に実行されるべき処理アクションに依存して、MPDUを処理し、PHYレイヤの送信機を使用することにより、物理フレームを802.11リンクに送出する。
【００９７】
(4)VLC  APの802.11ポートの物理レイヤは、MPDUを復元するために、802.11リンクから物理フレームを受信し、802.11物理レイヤの処理アクションに依存して、物理フレームを処理し、プリミティブPHY-DATA.indicationを使用することにより、MPDUを802.11ポートのMACレイヤに送出する。
【００９８】
(5)VLC  APの802.11ポートのMACレイヤは、MSDUを復元するために、プリミティブPHY-DATA.requestが受信された後に実行されるべき処理アクションに依存して、MPDUに対してMACレイヤ処理を実行し、プリミティブMA-UNITDATA.indicationを使用することにより、MSDUをゲートウェイの802.11ポートのMACレイヤの隣接上位レイヤに送出する。
【００９９】
プリミティブを使用することにより、802.11ポートのMACレイヤに提示されるMSDUは、隣接上位レイヤにより新たに定義された管理メッセージSEND-MAC-MESSAGE.indicationである。したがって、管理メッセージを受信した後に、VLC  APの隣接上位レイヤは、このメッセージを認識できる。
【０１００】
S905.VLC  APのVLC  MACレイヤの隣接上位レイヤは、隣接上位レイヤメッセージSEND-MAC-MESSAGE.indicationを受信し、隣接上位レイヤメッセージSEND-MAC-MESSAGE.indicationから送信元アドレス、宛先アドレス及びMSDUを復元し、送信元アドレス、宛先アドレス及びMSDUを搬送するプリミティブMLME-DATA.requestを生成する。
【０１０１】
S905.VLC  APのVLC  MACレイヤの隣接上位レイヤは、プリミティブMLME-DATA.requestをVLC  APのVLC  MACレイヤに送出する。
【０１０２】
S907.VLC  APのVLC  MACレイヤは、プリミティブMLME-DATA.requestからMSDUを復元し、MSDUに従って対応する処理を実行する。
【０１０３】
添付図面を参照して、以下に、本発明のこの実施例による前述の方法を実現するように構成された装置を説明する。
【０１０４】
図１０を参照すると、図１０は、本発明の実施例による第１のデバイスの概略構成図である。
【０１０５】
図１０に示すように、第１のデバイス1000は、プリミティブ操作モジュール1001と、生成モジュール1002と、送出モジュール1003とを含んでもよい。
【０１０６】
処理モジュール1001は、第１のデバイスの媒体アクセス制御MACレイヤがMAC情報を生成した後に、MAC情報を搬送する第１のプリミティブを生成するように構成される。
【０１０７】
処理モジュール1001は、第１のプリミティブを第１のデバイスのMACレイヤの隣接上位レイヤに送出するように更に構成される。
【０１０８】
生成モジュール1002は、第１のデバイスのMACレイヤの隣接上位レイヤが第１のプリミティブを受信した後に、MAC情報を搬送する隣接上位レイヤメッセージを生成するように構成される。
【０１０９】
送出モジュール1003は、隣接上位レイヤメッセージを第２のデバイスのMACレイヤの隣接上位レイヤに送出するように構成され、隣接上位レイヤメッセージは、第２のプリミティブを使用することにより、MAC情報をVLCアクセスポイントのMACレイヤに送出するように、第２のデバイスのMACレイヤの隣接上位レイヤに対して命令するために使用される。
【０１１０】
任意選択で、MAC情報は、第１のデバイスのMACレイヤにより生成された送達確認ACKフレーム又はコマンドフレームを含む。
【０１１１】
任意選択で、第１のプリミティブは、第２のデバイスのアドレス情報を更に搬送する。
【０１１２】
任意選択で、第２のプリミティブは、第１のデバイスのアドレス情報を更に搬送する。
【０１１３】
任意選択で、送出モジュール1003は、
指定のリンクを使用することにより、隣接上位レイヤメッセージを第２のデバイスのMACレイヤの隣接上位レイヤに送出するように具体的に構成され、指定のリンクは、有線リンク、RFリンク、IRリンク、有線リンク及びRFリンク、又は有線リンク及びIRリンクを含む。
【０１１４】
前述のモジュール（送出モジュール1001及び生成モジュール1002）は、前述の方法における関係するステップを実行するように構成される点に留意すべきである。
【０１１５】
この実施例では、第１のデバイス1000はモジュールの形式で提示されている。ここで、「モジュール」は、特定用途向け集積回路（application-specific  integrated  circuit,  ASIC）、１つ以上のソフトウェア又はファームウェアプログラムを実行するプロセッサ及びメモリ、集積論理回路、及び／又は前述の機能を提供できる他のコンポーネントでもよい。さらに、前述の送出モジュール1003は、第１のデバイスと第２のデバイスとの間の通信インタフェースを使用することにより、情報を第２のデバイスに送出してもよく、処理モジュール1001及び生成モジュール1002は、図１２にあるプロセッサ及びメモリを使用することにより実現されてもよい。
【０１１６】
図１１を参照すると、図１１は、本発明の実施例による第２のデバイスの概略構成図である。
【０１１７】
図１１に示すように、第２のデバイス1000は、受信モジュール1101と、プリミティブ操作モジュール1102とを含んでもよい。
【０１１８】
受信モジュール1101は、第１のデバイスのMACレイヤの隣接上位レイヤにより送出された隣接上位レイヤメッセージを受信するように構成され、隣接上位レイヤメッセージは、第１のデバイスのMACレイヤの隣接上位レイヤが第１のプリミティブを受信した後に第１のデバイスのMACレイヤの隣接上位レイヤにより生成され且つMAC情報を搬送するメッセージである。
【０１１９】
処理モジュール1102は、MAC情報を搬送する第２のプリミティブを生成し、第２のプリミティブを第２のデバイスのMACレイヤに送出するように構成される。
【０１２０】
任意選択で、第１のプリミティブは、第２のデバイスのアドレス情報を更に搬送する。
【０１２１】
任意選択で、第２のプリミティブは、第１のデバイスのアドレス情報を更に搬送する。
【０１２２】
前述のモジュール（受信モジュール1101及びプリミティブ操作モジュール1102）は、前述の方法における関係するステップを実行するように構成される点に留意すべきである。
【０１２３】
この実施例では、第２のデバイス1100はモジュールの形式で提示されている。ここで、「モジュール」は、特定用途向け集積回路（application-specific  integrated  circuit,  ASIC）、１つ以上のソフトウェア又はファームウェアプログラムを実行するプロセッサ及びメモリ、集積論理回路、及び／又は前述の機能を提供できる他のコンポーネントでもよい。さらに、前述の受信モジュール1101は、第１のデバイスと第２のデバイスとの間の通信インタフェースを使用することにより、第１のデバイスにより送出された情報を受信してもよく、処理モジュール1102は、図１２にあるプロセッサ及びメモリを使用することにより実現されてもよい。
【０１２４】
図１２に示すように、第１のデバイス1000及び第２のデバイス1200は、図１２の構成で実現されてもよい。デバイス1200は、少なくとも１つのプロセッサ1201と、少なくとも１つのメモリ1202と、少なくとも１つの通信インタフェース1203とを含む。さらに、デバイスは、アンテナのような一般的なコンポーネントを更に含んでもよく、詳細はここでは説明しない。
【０１２５】
プロセッサ1201は、一般的な中央処理装置（CPU）、マイクロプロセッサ、特定用途向け集積回路（application-specific  integrated  circuit,  ASIC）、又は前述の解決策のプログラムの実行を制御するための１つ以上の集積回路でもよい。
【０１２６】
通信インタフェース1203は、イーサーネット、無線アクセスネットワーク（RAN）又は無線ローカルエリアネットワーク（Wireless  Local  Area  Network,  WLAN）のような他のデバイス又は通信ネットワークと通信するように構成される。
【０１２７】
メモリ1202は、静的情報及び命令を記憶し得る読み取り専用メモリ（read-only  memory,  ROM）若しくは他の種類の静的記憶デバイス、又は情報及び命令を記憶し得るランダムアクセスメモリ（random  access  memory,  RAM）若しくは他の種類の動的記憶デバイスでもよく、また、電気的消去可能プログラム可能読み取り専用メモリ（Electrically  Erasable  Programmable  Read-Only  Memory,  EEPROM）、読み取り専用光ディスク（Compact  Disc  Read-Only  Memory,  CD-ROM）、他の光ディスク記憶媒体、光ディスク記憶媒体（コンパクトディスク、レーザーディスク、光ディスク、デジタル多用途ディスク、ブルーレイディスク等を含む）若しくは磁気ディスク記憶媒体、他の磁気ディスク記憶デバイス、又は命令若しくはデータの構造形式で想定されるプログラムコードを搬送若しくは記憶するために使用でき且つコンピュータによりアクセスできる他の媒体でもよいが、これらに限定されない。メモリは独立して存在してもよく、バスを使用することによりプロセッサに接続される。代替として、メモリはプロセッサと統合されてもよい。
【０１２８】
メモリ1202は、前述の解決策のアプリケーションプログラムコードを記憶及び実行するように構成され、プロセッサ1201が実行を制御する。プロセッサ1201は、メモリ1202に記憶されたアプリケーションプログラムコードを実行するように構成される。
【０１２９】
図１２に示すデバイスが第１のデバイスであるときに、メモリ1202に記憶されたコードは、第１のデバイスにより実行される前述の提供される上りリンク送信方法を実行するために使用されてもよく、例えば、第１のデバイスのMACレイヤにより、MAC情報を生成し、次に、MAC情報を搬送する第１のプリミティブを生成し、第１のプリミティブを第１のデバイスのMACレイヤの隣接上位レイヤに送出し、第１のデバイスのMACレイヤの隣接上位レイヤにより、第１のプリミティブを受信し、次に、MAC情報を搬送する隣接上位レイヤメッセージを生成し、隣接上位レイヤメッセージを第２のデバイスのMACレイヤの隣接上位レイヤに送出する。
【０１３０】
図１２に示すデバイスが第２のデバイスであるときに、メモリ1202に記憶されたコードは、第２のデバイスにより実行される前述の提供される上りリンク送信方法を実行するために使用されてもよく、例えば、第２のデバイスの媒体アクセス制御MACレイヤの隣接上位レイヤにより、第１のデバイスのMACレイヤの隣接上位レイヤにより送出された隣接上位レイヤメッセージを受信し、第２のデバイスのMACレイヤの隣接上位レイヤにより、MAC情報を搬送する第２のプリミティブを生成し、第２のプリミティブを第２のデバイスのMACレイヤに送出する。
【０１３１】
本発明の実施例は、コンピュータ記憶媒体を更に提供し、コンピュータ記憶媒体はプログラムを記憶してもよい。プログラムが実行されるときに、前述の方法の実施例に記録されたいずれかの上りリンク送信方法におけるステップの一部又は全てが含まれる。
【０１３２】
実施例を参照して本発明について説明したが、保護を請求する本発明の実施例を実現するプロセスにおいて、当業者は、添付図面、開示された内容及び添付の特許請求の範囲を見ることにより、開示された実施例の他の変形を理解及び実現し得る。特許請求の範囲において、「含む」（comprising）は、他のコンポーネント又はステップを除外せず、単数又は「１つ」は複数の場合を除外しない。単一のプロセッサ又は他のユニットは、特許請求の範囲に列挙されたいくつかの機能を実現してもよい。いくつかの手段は、互いに異なる従属請求項に記録されるが、これは、これらの手段がより良い効果を生成するように結合できないことを意味するのではない。
【０１３３】
当業者は、本発明の実施例が方法、装置（デバイス）又はコンピュータプログラムプロダクトとして提供されてもよいことを理解すべきである。したがって、本発明は、ハードウェアのみの実施例、ソフトウェアのみの実施例、又はソフトウェアとハードウェアとの組み合わせを有する実施例の形式を使用してもよい。さらに、本発明は、コンピュータ使用可能プログラムコードを含む１つ以上のコンピュータ使用可能記憶媒体（ディスクメモリ、CD-ROM、光メモリ等を含むが、これらに限定されない）上に実現されたコンピュータプログラムプロダクトの形式を使用してもよい。コンピュータプログラムは、適切な媒体に記憶／分配され、他のハードウェアと共にハードウェアの一部として提供又は使用され、或いはInternet又は他の有線若しくは無線電気通信システムを使用すること等により、他の割り当て形式を使用してもよい。
【０１３４】
本発明は、本発明の実施例による方法、装置（デバイス）及びコンピュータプログラムプロダクトのフローチャート及び／又はブロック図を参照して記載されている。コンピュータプログラム命令は、フローチャート及び／又はブロック図における各プロセス及び／又は各ブロック、並びにフローチャート及び／又はブロック図におけるプロセス及び／又はブロックの組み合わせを実現するために使用されてもよいことが理解されるべきである。これらのコンピュータプログラム命令は、汎用コンピュータ、専用コンピュータ、埋め込み式プロセッサ又は他のプログラム可能データ処理デバイスのプロセッサが機械を生成するために提供されてもよく、それにより、コンピュータ又は他のプログラム可能データ処理デバイスのプロセッサにより実行された命令は、フローチャートにおける１つ以上のプロセス及び／又はブロック図における１つ以上のブロックの具体的な機能を実現するための装置を生成する。
【０１３５】
これらのコンピュータプログラム命令はまた、コンピュータ又は他のプログラム可能データ処理デバイスに対して具体的な方式で動作するように命令できるコンピュータ読み取り可能メモリに記憶されてもよく、それにより、コンピュータ読み取り可能メモリに記憶された命令は、命令装置を含む加工物を生成する。命令装置は、フローチャートにおける１つ以上のプロセス及び／又はブロック図における１つ以上のブロックの具体的な機能を実現する。
【０１３６】
これらのコンピュータプログラム命令はまた、コンピュータ又は他のプログラム可能データ処理デバイスにロードされてもよく、それにより、一連の動作及びステップがコンピュータ又は他のプログラム可能デバイス上で実行され、それにより、コンピュータにより実現される処理を生成する。したがって、コンピュータ又は他のプログラム可能デバイス上で実行される命令は、フローチャートにおける１つ以上のプロセス及び／又はブロック図における１つ以上のブロックの具体的な機能を実現するためのステップを提供する。
【０１３７】
具体的な特徴及びその実施例を参照して本発明について説明したが、明らかに、本発明の真意及び範囲を逸脱することなく、様々な変更及び組み合わせがこれらに対して行われてもよい。対応して、明細書及び添付図面は、添付の特許請求の範囲により規定される本発明の単なる例に過ぎず、本発明の範囲をカバーする変更、変形、組み合わせ又は均等物のいずれか又は全てとして考えられる。明らかに、当業者は、本発明の真意及び範囲を逸脱することなく、本発明に対して様々な変更及び変形を行うことができる。本発明は、本発明の特許請求の範囲及びその均等技術により規定される保護の範囲内に入るという条件で、これらの変更及び変形をカバーすることを意図する。
【図１】
2019514241.tif 000009
【図２】
2019514241.tif 000010
【図３】
2019514241.tif 000011
【図４】
2019514241.tif 000012
【図５】
2019514241.tif 000013
【図６】
2019514241.tif 000014
【図７】
2019514241.tif 000015
【図８】
2019514241.tif 000016
【図９】
2019514241.tif 000017
【図１０】
2019514241.tif 000018
【図１１】
2019514241.tif 000019
【図１２】
2019514241.tif 000020
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
第１のデバイスであるデバイスであって、
命令を記憶するメモリと、
前記メモリに結合されたプロセッサであり、前記命令を実行して、
前記第１のデバイスの媒体アクセス制御（MAC）レイヤがMAC情報を生成した後に、前記MAC情報を搬送する第１のプリミティブを生成し、
前記第１のプリミティブを前記第１のデバイスの前記MACレイヤの隣接上位レイヤに送出し、
前記第１のデバイスの前記MACレイヤの前記隣接上位レイヤが前記第１のプリミティブを受信した後に、前記MAC情報を搬送する隣接上位レイヤメッセージを生成し、
前記隣接上位レイヤメッセージを第２のデバイスのMACレイヤの隣接上位レイヤに送出し、前記隣接上位レイヤメッセージは、第２のプリミティブを使用することにより、前記MAC情報を前記第２のデバイスの前記MACレイヤに送出するように、前記第２のデバイスの前記MACレイヤの前記隣接上位レイヤに対して命令するために使用される、プロセッサと
を含むデバイス。
【請求項２】
前記MAC情報は、前記第１のデバイスの前記MACレイヤにより生成された送達確認ACKフレーム又はコマンドフレームを含む、請求項１に記載のデバイス。
【請求項３】
前記第１のプリミティブは、前記第２のデバイスのアドレス情報を更に搬送する、請求項１又は２に記載のデバイス。
【請求項４】
前記第２のプリミティブは、前記第１のデバイスのアドレス情報を更に搬送する、請求項１乃至３のうちいずれか１項に記載のデバイス。
【請求項５】
前記メモリに結合された前記プロセッサは、前記命令を実行して、
指定のリンクを使用することにより、前記隣接上位レイヤメッセージを前記第２のデバイスの前記MACレイヤの前記隣接上位レイヤに送出し、前記指定のリンクは、有線リンク、RFリンク、IRリンク、有線リンク及びRFリンク、又は有線リンク及びIRリンクを含む、請求項１乃至４のうちいずれか１項に記載のデバイス。
【請求項６】
第２のデバイスであるデバイスであって、
命令を記憶するメモリと、
前記メモリに結合されたプロセッサであり、前記命令を実行して、
第１のデバイスの媒体アクセス制御（MAC）レイヤの隣接上位レイヤにより送出された隣接上位レイヤメッセージを受信し、前記隣接上位レイヤメッセージは、前記第１のデバイスの前記MACレイヤの前記隣接上位レイヤが第１のプリミティブを受信した後に前記第１のデバイスの前記MACレイヤの前記隣接上位レイヤにより生成され且つMAC情報を搬送するメッセージであり、
前記MAC情報を搬送する第２のプリミティブを生成し、前記第２のプリミティブを前記第２のデバイスのMACレイヤに送出する、プロセッサと
を含むデバイス。
【請求項７】
前記第１のプリミティブは、前記第２のデバイスのアドレス情報を更に搬送する、請求項６に記載のデバイス。
【請求項８】
前記第２のプリミティブは、前記第１のデバイスのアドレス情報を更に搬送する、請求項６又は７に記載のデバイス。
【請求項９】
上りリンク送信方法であって、
第１のデバイスの媒体アクセス制御（MAC）レイヤにより、MAC情報を生成し、次に、前記MAC情報を搬送する第１のプリミティブを生成し、前記第１のプリミティブを前記第１のデバイスの前記MACレイヤの隣接上位レイヤに送出するステップと、
前記第１のデバイスの前記MACレイヤの前記隣接上位レイヤにより、前記第１のプリミティブを受信し、次に、前記MAC情報を搬送する隣接上位レイヤメッセージを生成し、前記隣接上位レイヤメッセージを第２のデバイスのMACレイヤの隣接上位レイヤに送出するステップであり、前記隣接上位レイヤメッセージは、第２のプリミティブを使用することにより、前記MAC情報を前記第２のデバイスの前記MACレイヤに送出するように、前記第２のデバイスの前記MACレイヤの前記隣接上位レイヤに対して命令するために使用される、ステップと
を含む方法。
【請求項１０】
前記MAC情報は、前記第１のデバイスの前記MACレイヤにより生成された送達確認ACKフレーム又はコマンドフレームを含む、請求項９に記載の方法。
【請求項１１】
前記第１のプリミティブは、前記第２のデバイスのアドレス情報を更に搬送する、請求項９又は１０に記載の方法。
【請求項１２】
前記第２のプリミティブは、前記第１のデバイスのアドレス情報を更に搬送する、請求項９乃至１１のうちいずれか１項に記載の方法。
【請求項１３】
前記第１のデバイスの前記MACレイヤの前記隣接上位レイヤにより、前記隣接上位レイヤメッセージを前記第２のデバイスのMACレイヤの隣接上位レイヤに送出するステップは、
前記第１のデバイスの前記MACレイヤの前記隣接上位レイヤにより、指定のリンクを使用することにより、前記隣接上位レイヤメッセージを前記第２のデバイスの前記MACレイヤの前記隣接上位レイヤに送出するステップであり、前記指定のリンクは、有線リンク、RFリンク、IRリンク、有線リンク及びRFリンク、又は有線リンク及びIRリンクを含む、ステップを含む、請求項９乃至１２のうちいずれか１項に記載の方法。
【手続補正２】
【補正対象書類名】明細書
【補正対象項目名】０００１
【補正方法】変更
【補正の内容】
【０００１】
本出願は、通信技術の分野に関し、特に上りリンク送信方法、関係するデバイス及びシステムに関する。
【手続補正３】
【補正対象書類名】明細書
【補正対象項目名】０００２
【補正方法】変更
【補正の内容】
【０００２】
可視光通信（VLC）は、可視光周波数帯域の範囲内の電磁波が通信用の伝送媒体として使用される通信方式である。近年、VLC通信は、VLCに使用される周波数帯域の特殊性のため（例えば、(1)VLCは、430THzから750THzまでの比較的広い周波数スペクトルにあり、この周波数帯域はライセンスなしに使用でき、(2)インフラストラクチャが広く分布しており、(3)VLCは電磁汚染がなく、環境にやさしく、(4)VLCは人体に安全であり、(5)VLCにおける情報伝送が光によって照射できる位置のみに限られる必要があるため、VLCは、機密セキュリティ機能を有する）、学界及び業界において重視されている。
【手続補正４】
【補正対象書類名】明細書
【補正対象項目名】０００３
【補正方法】変更
【補正の内容】
【０００３】
現在、VLC通信技術では、端末（スマートフォン又はタブレットコンピュータ等）からVLCアクセスポイント（AP）への上りリンク送信プロセスにおいて以下の問題が存在する。(1)端末からVLC  APへの上りリンク送信が端末の発光デバイスにより実行される必要があり、発光デバイスがオンになっているときにユーザによる端末の使用が影響を受けるため、ユーザ体験が乏しい。(2)発光デバイスがオンになっているときに、端末の電力が消費される必要があり、端末の電力消費がその場合に増加するため、電力消費が比較的大きい。(3)壁又はドアのような障害物はVLC送信を通過できないため、リンクがブロックされる可能性があり、VLC送信の範囲及び距離が制限される。(4)光の伝送は指向性があるため、上りリンク送信において隠れノードが存在する。端末がVLC  APへの上りリンク送信を実行したときに、VLC  APのカバレッジエリア内の他の端末は、端末により実行された上りリンク送信を検出できず、すなわち、端末は互いに隠れノードである。したがって、現在の端末が上りリンク送信を実行しているときに、他の端末もまたデータをVLC  APに送出する場合、衝突が発生し、それにより、ネットワークスループットに影響を与える。
【手続補正５】
【補正対象書類名】明細書
【補正対象項目名】０００４
【補正方法】変更
【補正の内容】
【０００４】
前述の問題を解決するために、VLCリンクが下り送信に使用され且つRFリンクが上りリンク送信に使用される異種ネットワークが提案されており、例えば、Wi-Fi、ZigBee、IR、ブルートゥース、LTE及びGSMが上りリンク送信に使用される。VLC  MAC情報（送達確認（ACK）フレーム又はコマンドフレーム等）の上りリンク送信プロセスにおいて、上りリンク送信を実行するためにVLCリンクをRFリンクで置き換えることは、VLC上りリンク送信における前述の問題をより良く回避できる。しかし、送信側において、VLC媒体アクセス制御（MAC）レイヤは、まず、プリミティブ（primitive）を使用することにより、VLC  MAC情報を隣接上位レイヤに送出する必要があり、次に、受信側において、隣接上位レイヤは、プリミティブを使用することにより、VLC  MAC情報をVLC  MACレイヤに送出する必要がある。プロトコルスタックにおいて隣接するプロトコルレイヤの間の相互作用は、プリミティブを使用することにより実現される必要があり、各プリミティブは固定の機能を有する。プリミティブが標準において定義及び規定された後に、プリミティブ名、プリミティブタイプ、プリミティブパラメータ、プリミティブ機能、プリミティブが生成されるタイミング（occasion）、及びプリミティブが受信された後のアクションが、プリミティブと１対１の対応関係になる。既存のIEEE802.15.7標準で規定されたプリミティブの中で、どのプリミティブも、VLC  MACレイヤとVLC  MACレイヤの隣接上位レイヤとの間でVLC  MACレイヤにより生成されたACKフレーム及びコマンドフレームを正確に交換する前述の機能を実現できない。したがって、既存の標準によれば、上りリンク送信が異種ネットワークで実行されたときに、送信側デバイスは、他のリンクを使用することにより、VLC  MAC情報を受信側デバイスに正確且つ有効に送出できない。
【手続補正６】
【補正対象書類名】明細書
【補正対象項目名】０００５
【補正方法】変更
【補正の内容】
【０００５】
本出願の実施例は、上りリンク送信が異種ネットワークで実行されるときに、送信側デバイスが他のリンクを使用することにより、VLC  MAC情報を受信側デバイスに正確且つ有効に送出できないという問題を解決するための上りリンク送信方法を提供する。
【手続補正７】
【補正対象書類名】明細書
【補正対象項目名】０００６
【補正方法】変更
【補正の内容】
【０００６】
本出願の実施例の第１の態様は、上りリンク送信方法を提供し、
第１のデバイスのMACレイヤにより、MAC情報を生成し、次に、MAC情報を搬送する第１のプリミティブを生成し、第１のプリミティブを第１のデバイスのMACレイヤの隣接上位レイヤに送出するステップと、第１のデバイスのMACレイヤの隣接上位レイヤにより、第１のプリミティブを受信し、次に、MAC情報を搬送する隣接上位レイヤメッセージを生成し、前述の隣接上位レイヤメッセージを第２のデバイスのMACレイヤの隣接上位レイヤに送出するステップと、第２のデバイスのMACレイヤの隣接上位レイヤにより、前述の隣接上位レイヤメッセージを受信し、次に、MAC情報を搬送する第２のプリミティブを生成し、第２のプリミティブを第２のデバイスのMACレイヤに送出するステップとを含み、それにより、上りリンク送信が異種ネットワークで実行されるときに、送信側デバイスが他のリンクを使用することにより、VLC  MAC情報を受信側デバイスに正確且つ有効に送出できないという問題を解決する。
【手続補正８】
【補正対象書類名】明細書
【補正対象項目名】０００７
【補正方法】変更
【補正の内容】
【０００７】
本出願の実施例の第１の態様を参照して、第１の態様の第１の可能な実現方式では、MAC情報は、第１のデバイスのMACレイヤにより生成されたACKフレーム又はコマンドフレームを含む。
【手続補正９】
【補正対象書類名】明細書
【補正対象項目名】０００８
【補正方法】変更
【補正の内容】
【０００８】
本出願の実施例の第１の態様又は第１の態様の第１の可能な実現方式を参照して、第１の態様の第２の可能な実現方式では、第１のプリミティブは、第２のデバイスのアドレス情報を更に搬送する。第２のデバイスのアドレス情報は、第２のデバイスにより、前述のMAC情報が第２のデバイスの（PLC  MACレイヤではなく）VLC  MACレイヤに送出される必要があることを決定するために使用される。このように、第２のデバイスのMACレイヤの隣接上位レイヤにより実行される処理アクションの不確実性が回避できる。
【手続補正１０】
【補正対象書類名】明細書
【補正対象項目名】０００９
【補正方法】変更
【補正の内容】
【０００９】
本出願の実施例の第１の態様又は第１の態様の第１若しくは第２の可能な実現方式のうちいずれか１つを参照して、第１の態様の第３の可能な実現方式では、第２のプリミティブは、第１のデバイスのアドレス情報を更に搬送する。第１のデバイスのアドレス情報は、第２のデバイスにより、前述のMAC情報の送出主体を決定するために使用され、それにより、送出主体の不確実性により第２のデバイスにより実行される誤った処理又は非効率的な処理を回避する。
【手続補正１１】
【補正対象書類名】明細書
【補正対象項目名】００１０
【補正方法】変更
【補正の内容】
【００１０】
本出願の実施例の第１の態様又は第１の態様の第１〜第３の可能な実現方式のうちいずれか１つを参照して、第１の態様の第４の可能な実現方式では、第１のデバイスのMACレイヤの隣接上位レイヤにより、隣接上位レイヤメッセージを第２のデバイスのMACレイヤの隣接上位レイヤに送出する具体的な実現方式は以下の通りである。
第１のデバイスのMACレイヤの隣接上位レイヤにより、指定のリンクを使用することにより、前述の隣接上位レイヤメッセージを第２のデバイスのMACレイヤの隣接上位レイヤに送出し、指定のリンクは、有線リンク、RFリンク、IRリンク、有線リンク及びRFリンク、又は有線リンク及びIRリンクを含む。
【手続補正１２】
【補正対象書類名】明細書
【補正対象項目名】００１１
【補正方法】変更
【補正の内容】
【００１１】
本出願の実施例の第１の態様又は第１の態様の第１〜第４の可能な実現方式のうちいずれか１つを参照して、第１の態様の第５の可能な実現方式では、第１のデバイスのMACレイヤの隣接上位レイヤは、第１のデバイスのMACレイヤの隣接上位レイヤが第１のプリミティブを受信した後に、MACレイヤデータ応答プリミティブを第１のデバイスのMACレイヤに返信する。
【手続補正１３】
【補正対象書類名】明細書
【補正対象項目名】００１２
【補正方法】変更
【補正の内容】
【００１２】
本出願の実施例の第１の態様又は第１の態様の第１〜第５の可能な実現方式のうちいずれか１つを参照して、第１の態様の第６の可能な実現方式では、第２のデバイスのMACレイヤは、第２のデバイスのMACレイヤの隣接上位レイヤが前述の第２のプリミティブを第２のデバイスのMACレイヤに送出した後に、MACレイヤデータ送達確認プリミティブを第２のデバイスのMACレイヤの隣接上位レイヤに返信する。
【手続補正１４】
【補正対象書類名】明細書
【補正対象項目名】００１３
【補正方法】変更
【補正の内容】
【００１３】
本出願の実施例の第２の態様は上りリンク送信方法を提供し、
第１のデバイスのMACレイヤにより、MAC情報を生成し、次に、MAC情報を搬送する第１のプリミティブを生成し、第１のプリミティブを第１のデバイスのMACレイヤの隣接上位レイヤに送出するステップと、第１のデバイスのMACレイヤの隣接上位レイヤにより、第１のプリミティブを受信し、次に、MAC情報を搬送する隣接上位レイヤメッセージを生成し、前述の隣接上位レイヤメッセージを第２のデバイスのMACレイヤの隣接上位レイヤに送出するステップであり、前述の隣接上位レイヤメッセージは、第２のプリミティブを使用することにより、MAC情報を第２のデバイスのMACレイヤに送出するように、第２のデバイスのMACレイヤの隣接上位レイヤに対して命令するために使用される、ステップとを含み、それにより、上りリンク送信が異種ネットワークで実行されるときに、送信側デバイスが他のリンクを使用することにより、VLC  MAC情報を受信側デバイスに正確且つ有効に送出できないという問題を解決する。
【手続補正１５】
【補正対象書類名】明細書
【補正対象項目名】００１４
【補正方法】変更
【補正の内容】
【００１４】
本出願の実施例の第２の態様を参照して、第２の態様の第１の可能な実現方式では、MAC情報は、第１のデバイスのMACレイヤにより生成された送達確認ACKフレーム又はコマンドフレームを含む。
【手続補正１６】
【補正対象書類名】明細書
【補正対象項目名】００１５
【補正方法】変更
【補正の内容】
【００１５】
本出願の実施例の第２の態様又は第２の態様の第１の可能な実現方式を参照して、第２の態様の第２の可能な実現方式では、第１のプリミティブは、第２のデバイスのアドレス情報を更に搬送する。第２のデバイスのアドレス情報は、第２のデバイスにより、前述のMAC情報が第２のデバイスの（PLC  MACレイヤではなく）VLC  MACレイヤに送出される必要があることを決定するために使用される。このように、第２のデバイスのMACレイヤの隣接上位レイヤにより実行される処理アクションの不確実性が回避できる。
【手続補正１７】
【補正対象書類名】明細書
【補正対象項目名】００１６
【補正方法】変更
【補正の内容】
【００１６】
本出願の実施例の第２の態様又は第２の態様の第１若しくは第２の可能な実現方式のうちいずれか１つを参照して、第２の態様の第３の可能な実現方式では、第２のプリミティブは、第１のデバイスのアドレス情報を更に搬送する。第１のデバイスのアドレス情報は、第２のデバイスにより、前述のMAC情報の送出主体を決定するために使用され、それにより、送出主体の不確実性により第２のデバイスにより実行される誤った処理又は非効率的な処理を回避する。
【手続補正１８】
【補正対象書類名】明細書
【補正対象項目名】００１７
【補正方法】変更
【補正の内容】
【００１７】
本出願の実施例の第２の態様又は第２の態様の第１〜第３の可能な実現方式のうちいずれか１つを参照して、第２の態様の第４の可能な実現方式では、第１のデバイスのMACレイヤの隣接上位レイヤにより、前述の隣接上位レイヤメッセージを第２のデバイスのMACレイヤの隣接上位レイヤに送出する具体的な実現方式は以下の通りである。第１のデバイスのMACレイヤの隣接上位レイヤにより、指定のリンクを使用することにより、前述の隣接上位レイヤメッセージを第２のデバイスのMACレイヤの隣接上位レイヤに送出し、指定のリンクは、有線リンク、RFリンク、IRリンク、有線リンク及びRFリンク、又は有線リンク及びIRリンクを含む。
【手続補正１９】
【補正対象書類名】明細書
【補正対象項目名】００１８
【補正方法】変更
【補正の内容】
【００１８】
本出願の実施例の第３の態様は、上りリンク送信方法を提供し、
第２のデバイスのMACレイヤの隣接上位レイヤにより、第１のデバイスのMACレイヤの隣接上位レイヤにより送出された隣接上位レイヤメッセージを受信するステップであり、前述の隣接上位レイヤメッセージは、第１のデバイスのMACレイヤの隣接上位レイヤが第１のプリミティブを受信した後に第１のデバイスのMACレイヤの隣接上位レイヤにより生成され且つMAC情報を搬送するメッセージである、ステップと、第２のデバイスのMACレイヤの隣接上位レイヤにより、MAC情報を搬送する第２のプリミティブを生成し、第２のプリミティブを第２のデバイスのMACレイヤに送出するステップとを含み、それにより、上りリンク送信が異種ネットワークで実行されるときに、送信側デバイスが他のリンクを使用することにより、VLC  MAC情報を受信側デバイスに正確且つ有効に送出できないという問題を解決する。
【手続補正２０】
【補正対象書類名】明細書
【補正対象項目名】００１９
【補正方法】変更
【補正の内容】
【００１９】
本出願の実施例の第３の態様を参照して、第３の態様の第１の可能な実現方式では、第１のプリミティブは、第２のデバイスのアドレス情報を更に搬送する。第２のデバイスのアドレス情報は、第２のデバイスにより、前述のMAC情報が第２のデバイスの（PLC  MACレイヤではなく）VLC  MACレイヤに送出される必要があることを決定するために使用される。このように、第２のデバイスのMACレイヤの隣接上位レイヤにより実行される処理アクションの不確実性が回避できる。
【手続補正２１】
【補正対象書類名】明細書
【補正対象項目名】００２０
【補正方法】変更
【補正の内容】
【００２０】
本出願の実施例の第３の態様又は第３の態様の第１の可能な実現方式を参照して、第３の態様の第２の可能な実現方式では、第２のプリミティブは、第１のデバイスのアドレス情報を更に搬送する。第１のデバイスのアドレス情報は、第２のデバイスにより、前述のMAC情報の送出主体を決定するために使用され、それにより、送出主体の不確実性により第２のデバイスにより実行される誤った処理又は非効率的な処理を回避する。
【手続補正２２】
【補正対象書類名】明細書
【補正対象項目名】００２１
【補正方法】変更
【補正の内容】
【００２１】
本出願の実施例の第４の態様は、第２の態様による方法を実行するように構成されたモジュールを含むデバイスを提供する。
【手続補正２３】
【補正対象書類名】明細書
【補正対象項目名】００２２
【補正方法】変更
【補正の内容】
【００２２】
本出願の実施例の第５の態様は、第３の態様による方法を実行するように構成されたモジュールを含むデバイスを提供する。
【手続補正２４】
【補正対象書類名】明細書
【補正対象項目名】００２３
【補正方法】変更
【補正の内容】
【００２３】
本出願の実施例の第６の態様は、デバイスを提供し、デバイスはプロセッサを含み、プロセッサは、第２の態様による上りリンク送信方法における対応する機能を実行する際にデバイスをサポートするように構成される。デバイスはメモリを更に含んでもよく、メモリは、プロセッサに結合され、デバイスに必要なプログラム命令及びデータを記憶するように構成される。デバイスは、デバイスと他のデバイス又は通信ネットワークとの間の通信を実行するように構成された通信インタフェースを更に含んでもよい。
【手続補正２５】
【補正対象書類名】明細書
【補正対象項目名】００２４
【補正方法】変更
【補正の内容】
【００２４】
本出願の実施例の第７の態様は、デバイスを提供し、デバイスはプロセッサを含み、プロセッサは、第３の態様による上りリンク送信方法における対応する機能を実行する際にデバイスをサポートするように構成される。デバイスはメモリを更に含んでもよく、メモリは、プロセッサに結合され、デバイスに必要なプログラム命令及びデータを記憶するように構成される。デバイスは、デバイスと他のデバイス又は通信ネットワークとの間の通信を実行するように構成された通信インタフェースを更に含んでもよい。
【手続補正２６】
【補正対象書類名】明細書
【補正対象項目名】００２５
【補正方法】変更
【補正の内容】
【００２５】
本出願の実施例の第８の態様は、第６の態様によるデバイスにより使用されるコンピュータソフトウェア命令を記憶するように構成されたコンピュータ記憶媒体を提供する。コンピュータソフトウェア命令は、前述の態様を実行するように設計されたプログラムを含む。
【手続補正２７】
【補正対象書類名】明細書
【補正対象項目名】００２６
【補正方法】変更
【補正の内容】
【００２６】
本出願の実施例の第９の態様は、第７の態様によるデバイスにより使用されるコンピュータソフトウェア命令を記憶するように構成されたコンピュータ記憶媒体を提供する。コンピュータソフトウェア命令は、前述の態様を実行するように設計されたプログラムを含む。
【手続補正２８】
【補正対象書類名】明細書
【補正対象項目名】００２７
【補正方法】変更
【補正の内容】
【００２７】
本出願の実施例の第１０の態様は、第５の態様による第１のデバイス及び／又は第６の態様による第２のデバイスを含む通信システムを提供する。
【手続補正２９】
【補正対象書類名】明細書
【補正対象項目名】００２８
【補正方法】変更
【補正の内容】
【００２８】
本出願において提供される解決策は、上りリンク送信が異種ネットワークで実行されるときに、送信側デバイスが他のリンクを使用することにより、VLC  MAC情報を受信側デバイスに正確且つ有効に送出できないという問題を解決できる。
【手続補正３０】
【補正対象書類名】明細書
【補正対象項目名】００２９
【補正方法】変更
【補正の内容】
【００２９】
本出願の上記及び他の態様は、以下の実施例の説明において、より簡明になり、理解できる。
【手続補正３１】
【補正対象書類名】明細書
【補正対象項目名】００３０
【補正方法】変更
【補正の内容】
【００３０】
本出願の実施例における技術的解決策をより明確に説明するために、以下に、実施例を説明するために必要な添付図面について簡単に説明する。明らかに、以下の説明における添付図面は、本出願の単にいくつかの実施例を示しているに過ぎず、当業者は、創造的取り組みなしに、依然としてこれらの添付図面から他の図面を導き得る。
【図１】本出願の実施例による通信システムの概略図である。
【図２】本出願の実施例による下りリンクVLC+RF異種ネットワークである。
【図３】本出願の実施例による他の下りリンクVLC+RF異種ネットワークである。
【図４】本出願の実施例による上りリンク送信方法の概略フローチャートである。
【図５】実施例の実施例によるメッセージSEND-MAC-MESSAGE  indicationのフォーマットの概略図である。
【図６】図７に示す上りリンク送信方法による異種システムにおける上りリンク送信プロセスの概略図である。
【図７】図２に示す異種ネットワークの上りリンク送信方法の概略フローチャートである。
【図８】図９に示す上りリンク送信方法による異種システムにおける上りリンク送信プロセスの概略図である。
【図９】図３に示す異種ネットワークの上りリンク送信方法の概略フローチャートである。
【図１０】本出願の実施例による第２のデバイスの概略構成図である。
【図１１】本出願の実施例による第１のデバイスの概略構成図である。
【図１２】本出願の実施例によるデバイスの概略構成図である。
【手続補正３２】
【補正対象書類名】明細書
【補正対象項目名】００３１
【補正方法】変更
【補正の内容】
【００３１】
本出願における技術的解決策を当業者により良く理解してもらうために、以下に、本出願の実施例における添付図面を参照して、本出願の実施例における技術的解決策を明確に説明する。明らかに、説明する実施例は、本出願の実施例の全部ではなく、単なる一部である。創造的取り組みなしに本出願の実施例に基づいて当業者により取得される全ての他の実施例は、本出願の実施例の保護範囲内に入るものとする。
【手続補正３３】
【補正対象書類名】明細書
【補正対象項目名】００３２
【補正方法】変更
【補正の内容】
【００３２】
本出願の明細書、特許請求の範囲及び添付図面において、「第１」、「第２」、「第３」、「第４」等の用語は、異なる対象物の間を区別することを意図するものであり、特定の順序を示すものではない。さらに、「含む」、「包含する」又は他のその変形の用語は、非排他的包含をカバーすることを意図する。例えば、一連のステップ又はユニットを含むプロセス、方法、システム、プロダクト又はデバイスは、記載されたステップ又はユニットに限定されず、任意選択で記載されていないステップ又はユニットを更に含むか、或いは任意選択でプロセス、方法、プロダクト又はデバイスの他の固有のステップ又はユニットを更に含む。
【手続補正３４】
【補正対象書類名】明細書
【補正対象項目名】００３３
【補正方法】変更
【補正の内容】
【００３３】
明細書において「実施例」に言及することは、実施例を参照して説明する特定の特徴、構造又は特性が本出願の少なくとも１つの実施例に含まれてもよいことを意味する。明細書の様々な位置に示される語句は必ずしも同じ実施例を示さなくてもよく、他の実施例と排他的な独立した実施例又は任意選択の実施例ではない。明細書において説明する実施例が他の実施例と組み合わされてもよいことが、当業者により明示的且つ暗示的に理解される。
【手続補正３５】
【補正対象書類名】明細書
【補正対象項目名】００３５
【補正方法】変更
【補正の内容】
【００３５】
(1)第１のデバイス及び第２のデバイスは、可視光通信を実行できるデバイスである。例えば、デバイスは端末でもよい。ユーザ装置（UE）とも呼ばれる端末は、可視光通信機能を有するハンドヘルドデバイス又は車両デバイスのような、ユーザのための音声及びデータ接続性を提供するデバイスである。一般的な端末は、例えば、移動電話、タブレットコンピュータ、ノートブックコンピュータ、パームトップコンピュータ、モバイルインターネットデバイス（MID）、又はスマートウォッチ、スマートバンド若しくは歩数計のようなウェアラブルデバイスを含む。他の例では、デバイスは、VPAN上の端末のためのネットワークアクセスを提供し、VPANの動作を管理及び維持する、可視光通信パーソナルエリアネットワーク（VPAN）上のマスターノードであるVLCアクセスポイント（AP）でもよい。端末は、APにアクセスすることによりネットワークに接続される。通常では、VLC  APは、天井の発光ダイオード（LED）ライトにより動かされる。更に他の例では、デバイスはまた、可視光通信機能を有し且つセルラネットワークのアクセスネットワーク側にある無線アクセスネットワーク（RAN）デバイスでもよい。いわゆるRANデバイスは、端末を無線ネットワークにアクセスさせるデバイスであり、RANデバイスは、進化型ノードB（eNB）、無線ネットワークコントローラ（RNC）、ノードB（NB）、基地局コントローラ（BSC）、基地送受信局（BTS）、ホーム基地局（Home  evolved  NodeB,  HeNB又はHome  NodeB,  HNB等）又はベースバンドユニット（BBU）を含むが、これらに限定されない。更に他の例では、デバイスはまた、グローバルコントローラ（Global  CCo）でもよい。Global  CCoは、有線接続リンクを使用することによりVPANのAPに接続されたグローバル制御ノードであり、一緒にVPANの連携及び管理動作の役目をする。
【手続補正３６】
【補正対象書類名】明細書
【補正対象項目名】００３６
【補正方法】変更
【補正の内容】
【００３６】
(2)MACレイヤ：本出願の実施例におけるMACレイヤは、データプレーン及び管理プレーンを含むVLC  MACレイヤである。MACレイヤのデータプレーンは、上位レイヤから配送されたサービスデータに対してMACフレーミングを実行し、物理レイヤにより提示されるMACフレームを分割する役目をする。MACレイヤの管理プレーンは、様々なMACレイヤコマンドフレームを生成し、MACレイヤにより受信されたコマンドフレームを認識し、MACレイヤコマンドフレームに従って対応する処理アクションを実行する役目をする。
【手続補正３７】
【補正対象書類名】明細書
【補正対象項目名】００４３
【補正方法】変更
【補正の内容】
【００４３】
図１を参照すると、図１は、本出願の実施例に開示される通信システムの概略図である。図１に示す通信システムは、第１のデバイス110と、第２のデバイス120とを含む。第１のデバイス110のMACレイヤは、MAC情報を生成し、次に、MAC情報を搬送する第１のプリミティブを生成し、第１のプリミティブを第１のデバイス110のMACレイヤの隣接上位レイヤに送出する。第１のデバイス110のMACレイヤの隣接上位レイヤは、第１のプリミティブを受信し、次に、MAC情報を搬送する隣接上位レイヤメッセージを生成し、隣接上位レイヤメッセージを第２のデバイス120のMACレイヤの隣接上位レイヤに送出する。第２のデバイス120のMACレイヤの隣接上位レイヤは、隣接上位レイヤメッセージを受信し、次に、MAC情報を搬送する第２のプリミティブを生成する。最後に、第２のデバイス120のMACレイヤの隣接上位レイヤは、第２のプリミティブを第２のデバイス120のMACレイヤに送出する。このように、上りリンク送信が異種ネットワークで実行されるときに、送信側デバイスが他のリンクを使用することにより、VLC  MACフレームを受信側デバイスに正確且つ有効に送出できないという問題が解決される。
【手続補正３８】
【補正対象書類名】明細書
【補正対象項目名】００４４
【補正方法】変更
【補正の内容】
【００４４】
この出願は、図２に示す下りリンクVLC+上りリンクRF異種ネットワーク又は図３に示す下りリンクVLC+上りリンクRF異種ネットワークのような、可視光通信技術が使用されるいずれかのネットワークに適用可能である。図２及び図３に示す異種ネットワーク上で、第１のデバイス110が端末（UE1及びUE2を含む）であり、第２のデバイス120がVLC  AP（VLC  AP1及びVLC  AP2を含む）であることを仮定すると、図２及び図３に示す異種ネットワーク上で、Wi-Fiリンクが上りリンク及び下りリンクの双方に使用されてもよく、或いはWi-Fi上りリンクが上りリンクのみで使用されてもよい。これは具体的に限定されない。すなわち、この出願は、VLCリンクが下りリンクのみに使用される場合のみにかかわり、Wi-Fiリンクが上りリンク及び下りリンクの双方に使用されるか否かにかかわらない。さらに、ゲートウェイ及びLEDライトを接続する有線接続は、以下の有線接続形式、すなわち、電力線通信（PLC）、Ethernet、電話回線、同軸ケーブル、光ファイバ等のうちいずれか１つでもよい。これはこの出願では具体的に限定されない。PLCがこの出願における詳細な説明のための例として使用される。図３と図２との間の違いは以下の通りである。図２におけるWi-Fi  APはゲートウェイに位置し、端末がMAC情報（ACKフレーム又はコマンドフレーム等）をVLC  APに送出する必要があるときに、MAC情報は、まずWi-Fiリンクを使用することによりゲートウェイに送出される必要があり、次に、ゲートウェイがPLCリンクを使用することによりMAC情報をVLC  APに送出する。しかし、図３におけるWi-Fi  AP及びVLC  APの双方はLEDライトに位置し、すなわち、LEDライトはPLCポート及びVLCポートを有するだけでなく、Wi-Fiポートも有する。したがって、端末がMAC情報をVLC  APに送出する必要があるときに、MAC情報は、PLCリンクの参加なしに、Wi-Fiリンクを使用することによりVLC  APにより直接送出できる。
【手続補正３９】
【補正対象書類名】明細書
【補正対象項目名】００４５
【補正方法】変更
【補正の内容】
【００４５】
当業者による理解を容易にするため、以下に、添付図面を参照して本出願の実施例を詳細に説明する。
【手続補正４０】
【補正対象書類名】明細書
【補正対象項目名】００４６
【補正方法】変更
【補正の内容】
【００４６】
図４に示すように、本出願の実施例において提供される上りリンク送信方法は以下のステップを含む。
【手続補正４１】
【補正対象書類名】明細書
【補正対象項目名】００５５
【補正方法】変更
【補正の内容】
【００５５】
ステップS403において、第１のデバイスのMACレイヤの隣接上位レイヤが第１のプリミティブを受信した後に第１のデバイスのMACレイヤの隣接上位レイヤにより生成され且つ前述のMAC情報を搬送する隣接上位レイヤメッセージは、送出MACメッセージ指示メッセージSEND-MAC-MESSAGE.indicationである。隣接上位レイヤメッセージは、プリミティブMLME-DATA.indicationで搬送される送信元アドレス、宛先アドレス及びMSDUのようなパラメータを搬送し、パラメータは、隣接上位レイヤメッセージのペイロード部として使用される。メッセージSEND-MAC-MESSAGE.indicationのフォーマットが図５に示されている。メッセージSEND-MAC-MESSAGE.indicationのパラメータについての説明は、表２に示されている。
【表２】
2019514241.tif 000021
【手続補正４２】
【補正対象書類名】明細書
【補正対象項目名】００５８
【補正方法】変更
【補正の内容】
【００５８】
表２のMAC情報TLVのフォーマットは、表５に示されている。
【表５】
2019514241.tif 000022
【手続補正４３】
【補正対象書類名】明細書
【補正対象項目名】００５９
【補正方法】変更
【補正の内容】
【００５９】
ステップS404において、第１のデバイスのMACレイヤの隣接上位レイヤが前述の隣接上位レイヤメッセージを第２のデバイスのMACレイヤの隣接上位レイヤに送出する具体的な実現方式は以下の通りでもよい。第１のデバイスのMACレイヤの隣接上位レイヤにより、指定のリンクを使用することにより、隣接上位レイヤメッセージを第２のデバイスのMACレイヤの隣接上位レイヤに送出する。指定のリンクは、有線リンク、RFリンク、IRリンク、有線リンク及びRFリンク、又は有線リンク及びIRリンクを含む。有線リンクは、PLCリンク、Ethernetリンク、光ファイバリンク、同軸リンク、電話有線リンク等を含む。RFリンクは、Wi-Fiリンク、ZigBeeリンク、ブルートゥースリンク、LTEセルラリンク、LTEスモールセルリンク等を含む。IRリンクは赤外線リンクである。例えば、図２に示す異種ネットワークでは、Wi-Fi  APはゲートウェイに位置する。したがって、第１のデバイスのMACレイヤの隣接上位レイヤは、Wi-Fiリンク及びPLCリンクを使用することにより、前述の隣接上位レイヤメッセージを第２のデバイスのMACレイヤの隣接上位レイヤに送出する。他の例では、図３に示す異種ネットワークでは、Wi-Fi  Wi-Fi  AP及びVLC  APの双方はLEDライトに位置する。したがって、第１のデバイスのMACレイヤの隣接上位レイヤは、直接Wi-Fiリンクを使用することにより、前述の隣接上位レイヤメッセージを第２のデバイスのMACレイヤの隣接上位レイヤに送出してもよい。
【手続補正４４】
【補正対象書類名】明細書
【補正対象項目名】００６０
【補正方法】変更
【補正の内容】
【００６０】
ステップS405において、第２のデバイスのMACレイヤの隣接上位レイヤが前述の隣接上位レイヤメッセージを受信した後に、第２のデバイスのMACレイヤの隣接上位レイヤは、前述の隣接上位レイヤメッセージのペイロード部から、送信元アドレス、宛先アドレス及びMSDUを復元する。第２のデバイスのMACレイヤの隣接上位レイヤが隣接上位レイヤメッセージの関係するパラメータを取得した後に第２のデバイスのMACレイヤの隣接上位レイヤにより生成された第２のプリミティブは、MACレイヤデータ要求プリミティブMLME-DATA.requestである。プリミティブは、第２のデバイスのMACレイヤに送出され、プリミティブは、ペイロード部から復元された送信元アドレス、宛先アドレス及びMSDUを搬送する。プリミティブMLME-DATA.requestは、第１のデバイスから受信したメッセージSEND-MAC-MESSAGE.indicationにおけるペイロード部の内容を第２のデバイスのMACレイヤに伝送するために、第２のデバイスのMACレイヤの隣接上位レイヤにより使用される。プリミティブMLME-DATA.requestは、少なくとも以下のパラメータ、すなわち、送信元アドレス、宛先アドレス及びMSDUを含む。プリミティブMLME-DATA.requestは他のパラメータを更に含んでもよく、これはこの出願では限定されない。プリミティブMLME-DATA.requestに含まれるパラメータについての説明は、表６に示されている。第２のプリミティブは、第２のデバイスのMACレイヤの隣接上位レイヤが前述の隣接上位レイヤメッセージを受信した後に生成される。通常では、MLMEで始まるプリミティブは、MACレイヤ管理プレーンプリミティブであり、第２のプリミティブの英文名はまた、この出願のこの実施例においてMLMEで始まるプリミティブとして定義されるが、これは、第２のプリミティブが必ずしもMACレイヤ管理プレーンプリミティブであることを示しているのではない点に留意すべきである。第２のプリミティブはまた、MACレイヤデータプレーンプリミティブでもよく、例えば、第２のプリミティブの英文名がMCPS-DATA.requestとして定義されることもまた、この出願の保護範囲内に入る。
【表６】
2019514241.tif 000023
【手続補正４５】
【補正対象書類名】明細書
【補正対象項目名】００６４
【補正方法】変更
【補正の内容】
【００６４】
本出願のこの実施例では、MAC情報を生成した後に、第１のデバイスのMACレイヤが、第１のプリミティブを使用することにより、前述のMAC情報を第１のデバイスのMACレイヤの隣接上位レイヤに送出し、前述のMAC情報を搬送する隣接上位レイヤメッセージを生成した後に、第１のデバイスのMACレイヤの隣接上位レイヤが、前述の隣接上位レイヤメッセージを第２のデバイスのMACレイヤの隣接上位レイヤに送出し、次に、第２のデバイスのMACレイヤの隣接上位レイヤが、第２のプリミティブを使用することにより、前述のMAC情報を第２のデバイスのMACレイヤに送出し、それにより、上りリンク送信が異種ネットワークで実行されるときに、送信側デバイスが他のリンクを使用することにより、VLC  MACフレームを受信側デバイスに正確且つ有効に送出できないという問題を解決することが認識できる。
【手続補正４６】
【補正対象書類名】明細書
【補正対象項目名】０１０１
【補正方法】変更
【補正の内容】
【０１０１】
S906.VLC  APのVLC  MACレイヤの隣接上位レイヤは、プリミティブMLME-DATA.requestをVLC  APのVLC  MACレイヤに送出する。
【手続補正４７】
【補正対象書類名】明細書
【補正対象項目名】０１０３
【補正方法】変更
【補正の内容】
【０１０３】
添付図面を参照して、以下に、本出願のこの実施例による前述の方法を実現するように構成された装置を説明する。
【手続補正４８】
【補正対象書類名】明細書
【補正対象項目名】０１０６
【補正方法】変更
【補正の内容】
【０１０６】
プリミティブ操作モジュール1001は、第１のデバイスの媒体アクセス制御MACレイヤがMAC情報を生成した後に、MAC情報を搬送する第１のプリミティブを生成するように構成される。
【手続補正４９】
【補正対象書類名】明細書
【補正対象項目名】０１０７
【補正方法】変更
【補正の内容】
【０１０７】
プリミティブ操作モジュール1001は、第１のプリミティブを第１のデバイスのMACレイヤの隣接上位レイヤに送出するように更に構成される。
【手続補正５０】
【補正対象書類名】明細書
【補正対象項目名】０１０９
【補正方法】変更
【補正の内容】
【０１０９】
送出モジュール1003は、隣接上位レイヤメッセージを第２のデバイスのMACレイヤの隣接上位レイヤに送出するように構成され、隣接上位レイヤメッセージは、第２のプリミティブを使用することにより、MAC情報を第２のデバイスのMACレイヤに送出するように、第２のデバイスのMACレイヤの隣接上位レイヤに対して命令するために使用される。
【手続補正５１】
【補正対象書類名】明細書
【補正対象項目名】０１１４
【補正方法】変更
【補正の内容】
【０１１４】
前述のモジュール（送出モジュール1003及び生成モジュール1002）は、前述の方法における関係するステップを実行するように構成される点に留意すべきである。
【手続補正５２】
【補正対象書類名】明細書
【補正対象項目名】０１１５
【補正方法】変更
【補正の内容】
【０１１５】
この実施例では、第１のデバイス1000はモジュールの形式で提示されている。ここで、「モジュール」は、特定用途向け集積回路（application-specific  integrated  circuit,  ASIC）、１つ以上のソフトウェア又はファームウェアプログラムを実行するプロセッサ及びメモリ、集積論理回路、及び／又は前述の機能を提供できる他のコンポーネントでもよい。さらに、前述の送出モジュール1003は、第１のデバイスと第２のデバイスとの間の通信インタフェースを使用することにより、情報を第２のデバイスに送出してもよく、プリミティブ操作モジュール1001及び生成モジュール1002は、図１２にあるプロセッサ及びメモリを使用することにより実現されてもよい。
【手続補正５３】
【補正対象書類名】明細書
【補正対象項目名】０１１６
【補正方法】変更
【補正の内容】
【０１１６】
図１１を参照すると、図１１は、本出願の実施例による第２のデバイスの概略構成図である。
【手続補正５４】
【補正対象書類名】明細書
【補正対象項目名】０１１９
【補正方法】変更
【補正の内容】
【０１１９】
処理モジュール1102は、MAC情報を搬送する第２のプリミティブを生成し、第２のプリミティブを第２のデバイスのMACレイヤに送出するように構成される。
【手続補正５５】
【補正対象書類名】明細書
【補正対象項目名】０１２３
【補正方法】変更
【補正の内容】
【０１２３】
この実施例では、第２のデバイス1100はモジュールの形式で提示されている。ここで、「モジュール」は、特定用途向け集積回路（application-specific  integrated  circuit,  ASIC）、１つ以上のソフトウェア又はファームウェアプログラムを実行するプロセッサ及びメモリ、集積論理回路、及び／又は前述の機能を提供できる他のコンポーネントでもよい。さらに、前述の受信モジュール1101は、第１のデバイスと第２のデバイスとの間の通信インタフェースを使用することにより、第１のデバイスにより送出された情報を受信してもよく、プリミティブ操作モジュール1102は、図１２にあるプロセッサ及びメモリを使用することにより実現されてもよい。
【手続補正５６】
【補正対象書類名】明細書
【補正対象項目名】０１２５
【補正方法】変更
【補正の内容】
【０１２５】
プロセッサ1201は、一般的な中央処理装置（CPU）、マイクロプロセッサ、特定用途向け集積回路（ASIC）、又は前述の解決策のプログラムの実行を制御するための１つ以上の集積回路でもよい。
【手続補正５７】
【補正対象書類名】明細書
【補正対象項目名】０１２６
【補正方法】変更
【補正の内容】
【０１２６】
通信インタフェース1203は、イーサーネット、無線アクセスネットワーク（RAN）又は無線ローカルエリアネットワーク（WLAN）のような他のデバイス又は通信ネットワークと通信するように構成される。
【手続補正５８】
【補正対象書類名】明細書
【補正対象項目名】０１２７
【補正方法】変更
【補正の内容】
【０１２７】
メモリ1202は、静的情報及び命令を記憶し得る読み取り専用メモリ（ROM）若しくは他の種類の静的記憶デバイス、又は情報及び命令を記憶し得るランダムアクセスメモリ（RAM）若しくは他の種類の動的記憶デバイスでもよく、また、電気的消去可能プログラム可能読み取り専用メモリ（EEPROM）、読み取り専用光ディスク（Compact  Disc  Read-Only  Memory,  CD-ROM）、他の光ディスク記憶媒体、光ディスク記憶媒体（コンパクトディスク、レーザーディスク、光ディスク、デジタル多用途ディスク、ブルーレイディスク等を含む）若しくは磁気ディスク記憶媒体、他の磁気ディスク記憶デバイス、又は命令若しくはデータの構造形式で想定されるプログラムコードを搬送若しくは記憶するために使用でき且つコンピュータによりアクセスできる他の媒体でもよいが、これらに限定されない。メモリは独立して存在してもよく、バスを使用することによりプロセッサに接続される。代替として、メモリはプロセッサと統合されてもよい。
【手続補正５９】
【補正対象書類名】明細書
【補正対象項目名】０１３１
【補正方法】変更
【補正の内容】
【０１３１】
本出願の実施例は、コンピュータ記憶媒体を更に提供し、コンピュータ記憶媒体はプログラムを記憶してもよい。プログラムが実行されるときに、前述の方法の実施例に記録されたいずれかの上りリンク送信方法におけるステップの一部又は全てが含まれる。
【手続補正６０】
【補正対象書類名】明細書
【補正対象項目名】０１３２
【補正方法】変更
【補正の内容】
【０１３２】
実施例を参照して本出願について説明したが、保護を請求する本出願の実施例を実現するプロセスにおいて、当業者は、添付図面、開示された内容及び添付の特許請求の範囲を見ることにより、開示された実施例の他の変形を理解及び実現し得る。特許請求の範囲において、「含む」（comprising）は、他のコンポーネント又はステップを除外せず、単数又は「１つ」は複数の場合を除外しない。単一のプロセッサ又は他のユニットは、特許請求の範囲に列挙されたいくつかの機能を実現してもよい。いくつかの手段は、互いに異なる従属請求項に記録されるが、これは、これらの手段がより良い効果を生成するように結合できないことを意味するのではない。
【手続補正６１】
【補正対象書類名】明細書
【補正対象項目名】０１３３
【補正方法】変更
【補正の内容】
【０１３３】
当業者は、本出願の実施例が方法、装置（デバイス）又はコンピュータプログラムプロダクトとして提供されてもよいことを理解すべきである。したがって、本出願は、ハードウェアのみの実施例、ソフトウェアのみの実施例、又はソフトウェアとハードウェアとの組み合わせを有する実施例の形式を使用してもよい。さらに、本出願は、コンピュータ使用可能プログラムコードを含む１つ以上のコンピュータ使用可能記憶媒体（ディスクメモリ、CD-ROM、光メモリ等を含むが、これらに限定されない）上に実現されたコンピュータプログラムプロダクトの形式を使用してもよい。コンピュータプログラムは、適切な媒体に記憶／分配され、他のハードウェアと共にハードウェアの一部として提供又は使用され、或いはInternet又は他の有線若しくは無線電気通信システムを使用すること等により、他の割り当て形式を使用してもよい。
【手続補正６２】
【補正対象書類名】明細書
【補正対象項目名】０１３４
【補正方法】変更
【補正の内容】
【０１３４】
本出願は、本出願の実施例による方法、装置（デバイス）及びコンピュータプログラムプロダクトのフローチャート及び／又はブロック図を参照して記載されている。コンピュータプログラム命令は、フローチャート及び／又はブロック図における各プロセス及び／又は各ブロック、並びにフローチャート及び／又はブロック図におけるプロセス及び／又はブロックの組み合わせを実現するために使用されてもよいことが理解されるべきである。これらのコンピュータプログラム命令は、汎用コンピュータ、専用コンピュータ、埋め込み式プロセッサ又は他のプログラム可能データ処理デバイスのプロセッサが機械を生成するために提供されてもよく、それにより、コンピュータ又は他のプログラム可能データ処理デバイスのプロセッサにより実行された命令は、フローチャートにおける１つ以上のプロセス及び／又はブロック図における１つ以上のブロックの具体的な機能を実現するための装置を生成する。
【手続補正６３】
【補正対象書類名】明細書
【補正対象項目名】０１３７
【補正方法】変更
【補正の内容】
【０１３７】
具体的な特徴及びその実施例を参照して本出願について説明したが、明らかに、本出願の真意及び範囲を逸脱することなく、様々な変更及び組み合わせがこれらに対して行われてもよい。対応して、明細書及び添付図面は、添付の特許請求の範囲により規定される本出願の単なる例に過ぎず、本出願の範囲をカバーする変更、変形、組み合わせ又は均等物のいずれか又は全てとして考えられる。明らかに、当業者は、本出願の真意及び範囲を逸脱することなく、本出願に対して様々な変更及び変形を行うことができる。本出願は、本出願の特許請求の範囲及びその均等技術により規定される保護の範囲内に入るという条件で、これらの変更及び変形をカバーすることを意図する。
【手続補正６４】
【補正対象書類名】図面
【補正対象項目名】図７
【補正方法】変更
【補正の内容】
【図７】
2019514241.tif 000024
【手続補正６５】
【補正対象書類名】図面
【補正対象項目名】図９
【補正方法】変更
【補正の内容】
【図９】
2019514241.tif 000025
【国際調査報告】
2019514241.tif 000026
2019514241.tif 000027
2019514241.tif 000028
2019514241.tif 000029